(57)【要約】【課題】  低消費電力で、高輝度のＬＣＤを実現する。【解決手段】  ドットの径を蛍光管１３からの距離に応じて、略０．１６乃至０．６５まで変化させることにより、蛍光管１３からの距離に応じて、真上に近い位置においては、遮光する光量を増大させ、逆に、蛍光管１３からの距離の遠い位置においては、遮光する光量を減少させるようにすることで、全光線透過率が略６２％（概ね６２％の近傍）の調光ドットパターンが生成されるので、従来の全光線透過率（従来は５０％以下であった）よりも高いものとすることができる。結果として、蛍光管１３の輝度を高めることなく、高輝度の均一な光を発することができるので、省電力で、高輝度のＬＣＤを実現することができる。【選択図】  図１３
2005117023.tif 000002
【特許請求の範囲】
【請求項１】
複数の冷陰極管と、
前記複数の冷陰極管の投光方向に、全光線透過率が６２乃至７１％で、かつ、曇価が９０乃至９９％である、調光用ドットパターンが印刷された拡散板とを備え、
前記調光用ドットパターンの各ドットは、前記冷陰極管の間隔を２４乃至４８分割した位置に配置され、さらに、前記各ドットの径は、前記冷陰極管からの距離に応じて０．１６乃至０．７ｍｍである
ことを特徴とするバックライト装置。
【請求項２】
前記拡散板の全光線透過率が略６２％であって、前記調光用ドットパターンの各ドットが、前記冷陰極管の間隔を２４分割した位置に配置された場合、前記各ドットの径は、前記冷陰極管からの距離に応じて、０．１６乃至０．６８ｍｍであって、前記冷陰極管からの距離が遠くなるに従って０．１６ｍｍに近い値となり、冷陰極管からの距離が近くなるに従って０．６８ｍｍに近い値となる
ことを特徴とする請求項１記載のバックライト装置。
【請求項３】
前記拡散板の全光線透過率が略６６％であって、前記調光用ドットパターンの各ドットが、前記冷陰極管の間隔を４８分割した位置に配置された場合、前記各ドットの径は、前記冷陰極管からの距離に応じて、０．１６乃至０．７ｍｍであって、前記冷陰極管からの距離が遠くなるに従って０．１６ｍｍに近い値となり、冷陰極管からの距離が近くなるに従って０．７ｍｍに近い値となる
ことを特徴とする請求項１記載のバックライト装置。
【請求項４】
前記冷陰極管は、出射輝度値が１７０００ｃｄ／ｍ2以上であって、かつ、前記冷陰極管上の位置での輝度値と、前記冷陰極管間の中間位置での輝度値との輝度差が７００乃至１４００ｃｄ／ｍ2である
ことを特徴とする請求項１記載のバックライト装置。
【請求項５】
前記拡散板は、前記複数の冷陰極管が配置された面から７ｍｍ以下の距離に配置される
ことを特徴とする請求項１記載のバックライト装置。
【請求項６】
調光用ドットパターンの各ドットは、遮光剤濃度が１８乃至３２ｗｔ％であって、かつ、拡散剤濃度が３．０乃至４．５ｗｔ％で調合されたインクにより、前記拡散板上に印刷される
ことを特徴とする請求項１記載のバックライト装置。
【請求項７】
前記インクは、当該インク中の濃度が０乃至７ｗｔ％の紫外線防止剤と、当該インク中の濃度が０乃至１ｗｔ％の消泡剤とを含んでいること
を特徴とする請求項６記載のバックライト装置。
【請求項８】
前記拡散板に前記調光用ドットパターンを印刷する際の前記インクの塗り回数は、通常１回とし、重ね塗りをする場合は、塗り回数を２乃至３回までとすること
を特徴とする請求項６記載のバックライト装置。
【請求項９】
調光用ドットパターンの各ドットは、前記冷陰極管の長手方向に対して１．２乃至２ｍｍの間隔で、かつ、前記長手方向に対して垂直の方向に０．５乃至１ｍｍの間隔で、千鳥配列に前記拡散板上に印刷される
ことを特徴とする請求項１記載のバックライト装置。
【請求項１０】
前記調光用ドットパターンは、前記複数の蛍光管と相対する前記拡散板の一方主面上又は前記一方主面に対向する他方主面上に形成されていること
を特徴とする請求項１記載のバックライト装置。
【請求項１１】
前記拡散板は、前記調光用ドットパターンが印刷された透明フィルムを、当該拡散板の一方主面上又は前記一方主面に対向する他方主面上に積層することで、前記調光用ドットパターンを形成すること
を特徴とする請求項１記載のバックライト装置。
【請求項１２】
透過型の液晶表示パネルと、前記液晶表示パネルを背面側から照明するバックライト装置とを備える液晶表示装置であって、
前記バックライト装置は、複数の冷陰極管からなる光源と、
前記光源の投光方向に前記光源に対向するように配置された、全光線透過率が６２乃至７１％、且つ、曇価が９０乃至９０％であり、調光用ドットパターンが形成された拡散板とを備え、
前記調光用ドットパターンの各ドットは、前記冷陰極管の間隔を２４乃至４８分割した位置に対向する前記拡散板上に、各ドットの径が、前記冷陰極管からの距離に応じて０．１６乃至０．７ｍｍとなるように形成されていること
を特徴とする液晶表示装置。
【請求項１３】
前記拡散板の全光線透過率が略６２％であって、前記調光用ドットパターンの各ドットが、前記冷陰極管の間隔を２４分割した位置に配置された場合、前記各ドットの径は、前記冷陰極管からの距離に応じて、０．１６乃至０．６８ｍｍであって、前記冷陰極管からの距離が遠くなるに従って０．１６ｍｍに近い値となり、冷陰極管からの距離が近くなるに従って０．６８ｍｍに近い値となる
ことを特徴とする請求項１２記載の液晶表示装置。
【請求項１４】
前記拡散板の全光線透過率が略６６％であって、前記調光用ドットパターンの各ドットが、前記冷陰極管の間隔を４８分割した位置に配置された場合、前記各ドットの径は、前記冷陰極管からの距離に応じて、０．１６乃至０．７ｍｍであって、前記冷陰極管からの距離が遠くなるに従って０．１６ｍｍに近い値となり、冷陰極管からの距離が近くなるに従って０．７ｍｍに近い値となる
ことを特徴とする請求項１２記載の液晶表示装置。
【請求項１５】
前記冷陰極管は、出射輝度値が１７０００ｃｄ／ｍ2以上であって、かつ、前記冷陰極管上の位置での輝度値と、前記冷陰極管間の中間位置での輝度値との輝度差が７００乃至１４００ｃｄ／ｍ2である
ことを特徴とする請求項１２記載の液晶表示装置。
【請求項１６】
前記拡散板は、前記複数の冷陰極管が配置された面から７ｍｍ以下の距離に配置される
ことを特徴とする請求項１２記載の液晶表示装置。
【請求項１７】
調光用ドットパターンの各ドットは、遮光剤濃度が１８乃至３２ｗｔ％であって、かつ、拡散剤濃度が３．０乃至４．５ｗｔ％で調合されたインクにより、前記拡散板上に印刷される
ことを特徴とする請求項１２記載の液晶表示装置。
【請求項１８】
前記インクは、当該インク中の濃度が０乃至７ｗｔ％の紫外線防止剤と、当該インク中の濃度が０乃至１ｗｔ％の消泡剤とを含んでいること
を特徴とする請求項１７記載の液晶表示装置。
【請求項１９】
前記拡散板に前記調光用ドットパターンを印刷する際の前記インクの塗り回数は、通常１回とし、重ね塗りをする場合は、塗り回数を２乃至３回までとすること
を特徴とする請求項１７記載の液晶表示装置。
【請求項２０】
調光用ドットパターンの各ドットは、前記冷陰極管の長手方向に対して１．２乃至２ｍｍの間隔で、かつ、前記長手方向に対して垂直の方向に０．５乃至１ｍｍの間隔で、千鳥配列に前記拡散板上に印刷される
ことを特徴とする請求項１２記載の液晶表示装置。
【請求項２１】
前記調光用ドットパターンは、前記複数の蛍光管と相対する前記拡散板の一方主面上又は前記一方主面に対向する他方主面上に形成されていること
を特徴とする請求項１２記載の液晶表示装置。
【請求項２２】
前記拡散板は、前記調光用ドットパターンが印刷された透明フィルムを、当該拡散板の一方主面上又は前記一方主面に対向する他方主面上に積層することで、前記調光用ドットパターンを形成すること
を特徴とする請求項１２記載の液晶表示装置。
【請求項２３】
赤色光、緑色光、青色光をそれぞれ発光する複数の発光ダイオードからなる光源と、
前記光源の投光方向に、前記光源に所定の間隔で対向するように配された、全光線透過率が５０乃至９３％、且つ、曇価が７０％乃至９３％であり、調光用ドットパターンが形成された、入射された赤色光、緑色光、青色光を混色させる拡散導光板とを備え、
前記調光用ドットパターンの各ドットは、前記拡散導光板上の前記各発光ダイオードに１対１で対向する位置に、各ドットの形状が、前記発光ダイオードの発光中心に対して対称又は非対称となり、各ドットの面積が、２８乃至８６ｍｍ２となるように形成されていること
を特徴とするバックライト装置。
【請求項２４】
前記調光用ドットパターンの各ドットは、遮光剤濃度を１８乃至３２ｗｔ％とし、且つ拡散剤濃度を３．０乃至４．５ｗｔ％として調合されたインクを、前記拡散導光板に印刷することで形成されること
を特徴とする請求項２３記載のバックライト装置。
【請求項２５】
前記インクは、当該インク中の濃度が０乃至７ｗｔ％の紫外線防止剤と、当該インク中の濃度が０乃至１ｗｔ％の消泡剤とを含んでいること
を特徴とする請求項２４記載のバックライト装置。
【請求項２６】
前記拡散導光板に前記調光用ドットパターンを印刷する際の前記インクの塗り回数は、通常１回とし、重ね塗りをする場合は、塗り回数を２乃至３回までとすること
を特徴とする請求項２４記載のバックライト装置。
【請求項２７】
前記調光用ドットパターンは、前記光源と相対する前記拡散導光板の一方主面上又は前記一方主面に対向する他方主面上に形成されていること
を特徴とする請求項２３記載のバックライト装置。
【請求項２８】
前記拡散導光板は、前記調光用ドットパターンが印刷された透明フィルムを、当該拡散導光板の一方主面上又は前記一方主面に対向する他方主面上に積層することで、前記調光用ドットパターンを形成すること
を特徴とする請求項２３記載のバックライト装置。
【請求項２９】
前記複数の発光ダイオードと１対１で対向するように前記拡散導光板に印刷された前記調光用ドットパターンの各ドットは、前記発光ダイオードで発光される各色光に応じて、使用するインクの組成、各ドットの形状、各ドットの面積が調節されていること
を特徴とする請求項２４記載のバックライト装置。
【請求項３０】
透過型の液晶表示パネルと、前記液晶表示パネルを背面側から照明するバックライト装置とを備える液晶表示装置であって、
前記バックライト装置は、赤色光、緑色光、青色光をそれぞれ発光する複数の発光ダイオードからなる光源と、
前記光源の投光方向に、前記光源に所定の間隔で対向するように配された、全光線透過率が５０乃至９３％、且つ、曇価が７０％乃至９３％であり、調光用ドットパターンが形成された、入射された赤色光、緑色光、青色光を混色させる拡散導光板とを備え、
前記調光用ドットパターンの各ドットは、前記拡散導光板上の前記各発光ダイオードに１対１で対向する位置に、各ドットの形状が、前記発光ダイオードの発光中心に対して対称又は非対称となり、各ドットの面積が、２８乃至８６ｍｍ２となるように形成されていること
を特徴とする液晶表示装置。
【請求項３１】
前記調光用ドットパターンの各ドットは、遮光剤濃度を１８乃至３２ｗｔ％とし、且つ拡散剤濃度を３．０乃至４．５ｗｔ％として調合されたインクを、前記拡散導光板に印刷することで形成されること
を特徴とする請求項３０記載の液晶表示装置。
【請求項３２】
前記インクは、当該インク中の濃度が０乃至７ｗｔ％の紫外線防止剤と、当該インク中の濃度が０乃至１ｗｔ％の消泡剤とを含んでいること
を特徴とする請求項３１記載の液晶表示装置。
【請求項３３】
前記拡散導光板に前記調光用ドットパターンを印刷する際の前記インクの塗り回数は、通常１回とし、重ね塗りをする場合は、塗り回数を２乃至３回までとすること
を特徴とする請求項３１記載の液晶表示装置。
【請求項３４】
前記調光用ドットパターンは、前記光源と相対する前記拡散導光板の一方主面上又は前記一方主面に対向する他方主面上に形成されていること
を特徴とする請求項３０記載の液晶表示装置。
【請求項３５】
前記拡散導光板は、前記調光用ドットパターンが印刷された透明フィルムを、当該拡散導光板の一方主面上又は前記一方主面に対向する他方主面上に積層することで、前記調光用ドットパターンを形成すること
を特徴とする請求項３０記載の液晶表示装置。
【請求項３６】
前記複数の発光ダイオードと１対１で対向するように前記拡散導光板に印刷された前記調光用ドットパターンの各ドットは、前記発光ダイオードで発光される各色光に応じて、使用するインクの組成、各ドットの形状、各ドットの面積が調節されていること
を特徴とする請求項３１記載の液晶表示装置。
【発明の詳細な説明】
【技術分野】
【０００１】
本発明は、バックライト装置及び液晶表示装置に関し、特に、低消費電力で、かつ、高輝度に発光できるようにしたバックライト装置及び、このバックライト装置を備えた液晶表示装置に関する。
【背景技術】
【０００２】
表示装置として液晶型ディスプレイ（ＬＣＤ：Liquid Crystal Display）が、一般に広く普及している。
【０００３】
ＬＣＤは、液晶を利用した表示装置であり、２枚の透明板の間に液晶を封入し、電圧を印加することにより液晶分子の向きを変え、光の透過率を変化させることで画像を表示するものである。ＬＣＤを構成する液晶自体は、発光せず、明るいところでは反射光を、暗いところでは背後に複数に配設された発光装置(バックライト装置)の光を使って画像を表示する。ＬＣＤは、CRT（Cathode Ray Tube）ディスプレイやPDP（Plasma Display Panel）など他の表示装置に比べて薄くて軽いので、携帯用コンピュータや省スペースデスクトップパソコンに広く使用されている。
【０００４】
バックライト装置で使用される光源としては、LED（Light Emission Diode）といった点状に光を発光する点光源や、蛍光管といった線状に光を発光する線光源が用いられる。このような光源を備えたバックライト装置は、面状発光して液晶表示パネルを照明することになる。バックライト装置は、上述した点光源、線光源の配置位置に応じて、エッジライト型、直下型と呼ばれる構成をとることになる。
【０００５】
エッジライト型のバックライト装置は、導光板を用いて、該導光板の側面に配された点光源又は線光源から発光された光を導光し面状発光させる。また、直下型のバックライト装置は、液晶表示パネルの直下に複数配された点光源又は線光源から発光された光を拡散板を用いて拡散させることで面状発光させる。また、直下型のバックライト装置では、点光源又は線光源から発光された光利用効率を高めるために光源の背面に反射板などを設け、発光光の損失を低減させるといった工夫もなされている。
【０００６】
直下型のバックライト装置では、複数の点光源又は複数の線光源が所定の間隔で液晶表示パネルの直下に配置されており、それぞれの光源が発光指向性を有しているため発光方向によって光の強度が異なることから面状発光させる光の輝度を面に渡って均一化させる必要がある。例えば、直下型のバックライト装置の光源として線状光源を用いた場合、並列に配列された線状光源の真上では、光の強度が強く、光源から遠ざかるにつれ、光の強度が弱くなってしまうことになる。具体的には、均一化が十分でないと、配置された光源の位置が反映された光、つまり、点光源ならドット状のランプイメージ、線光源なら縞状のランプイメージが現れてしまうことになる。
【０００７】
例えば、配置する光源の数を増やし、隣り合う光源間の距離を縮めた場合、拡散板の拡散度をある程度まで高くすると均一化させることができる。しかしながら、光源の数を増加すれば、バックライト装置、つまりはＬＣＤのコストを増大させてしまうといった問題が発生することになる。また、拡散板の拡散度を高くすると、光源を増加した割には輝度を上昇させることができないといった問題も発生してしまうことになる。
【０００８】
また、光源と、拡散板との距離を長くして、光源から拡散板上の各位置までの距離の差を相対的に短くすることで、均一化をするといった手法も考えられる。しかしながら、このように光源と、拡散板との距離を長くするとバックライト装置の厚み、つまりＬＣＤの厚みが増してしまうといった問題がある。
【０００９】
そこで、光源として線状光源である蛍光管を用いた直下型のバックライト装置では、面状発光させる照明光の輝度を均一化させるために、蛍光管の配置に対応した調光パターンを蒸着した透明フィルムを蛍光管と拡散板との間に配置したり、調光パターンを拡散板に印刷したりしている。この調光パターンは、遮光剤などを含むドット状のパターンであり、蛍光管から発せられる光をそのドットの大きさに応じて遮ることで、輝度を均一化させる。
【００１０】
また、光拡散層と光透過性のドットパターンによる光量均一化層を設けたバックライト装置が提案されている（例えば、特許文献１参照）。
【００１１】
【特許文献１】特開平６−３０１０３４号公報
【発明の開示】
【発明が解決しようとする課題】
【００１２】
一般に、光源の真上での輝度値と、隣り合う光源の中間位置上での輝度値との差を５００ｃｄ／ｍ2以下にしないと、拡散板を通過した光は、人の目で認識できる程度のランプイメージを発生してしまうことになる。
【００１３】
従来の技術で述べた調光パターンを輝度の均一化のために用いる場合、導光板の全光線透過率を５０％以下という非常に低い値にするような調光パターンのときに、上述した輝度差を５００ｃｄ／ｍ2以下とすることができる。
【００１４】
しかし、このような調光パターンを用いた場合、拡散板を透過する光量が減少するため、輝度が大幅に低下してしまうといった問題がある。これを補い、照明に十分な輝度を確保するためには、光源に過剰に電力を供給しなくてはならず、無駄な消費電力がかかってしまうことになる。
【００１５】
そこで、本発明は、上述したような問題を解決するために案出されたものであり、光源として点光源又は線光源を使用する直下型のバックライト装置において、面状発光させた場合に生ずる不均一な輝度を、光源で消費される消費電力を上げることなく十分な輝度値を確保しながら均一化させるバックライト装置及びこのバックライト装置を備えた液晶表示装置を提供することを目的とする。
【課題を解決するための手段】
【００１６】
本発明に係るバックライト装置は、複数の冷陰極管と、前記複数の冷陰極管の投光方向に、全光線透過率が６２乃至７１％で、かつ、曇価が９０乃至９９％である、調光用ドットパターンが印刷された拡散板とを備え、前記調光用ドットパターンの各ドットは、前記冷陰極管の間隔を２４乃至４８分割した位置に配置され、さらに、前記各ドットの径は、前記冷陰極管からの距離に応じて０．１６乃至０．７ｍｍであることを特徴とする。
【００１７】
このバックライト装置によれば、光源の消費電力を上げることなく十分な輝度値を確保すると共に、面状発光される光の輝度を均一化する。
【００１８】
本発明に係る液晶表示装置は、透過型の液晶表示パネルと、前記液晶表示パネルを背面側から照明するバックライト装置とを備える液晶表示装置であって、前記バックライト装置は、複数の冷陰極管からなる光源と、前記光源の投光方向に前記光源に対向するように配置された、全光線透過率が６２乃至７１％、且つ、曇価が９０乃至９９％であり、調光用ドットパターンが形成された拡散板とを備え、前記調光用ドットパターンの各ドットは、前記冷陰極管の間隔を２４乃至４８分割した位置に対向する前記拡散板上に、各ドットの径が、前記冷陰極管からの距離に応じて０．１６乃至０．７ｍｍとなるように形成されていることを特徴とする。
【００１９】
この液晶表示装置によれば、バックライト装置によって、光源の消費電力を上げることなく確保された十分な輝度値を有し、さらに輝度が均一化されて面状発光された光で液晶表示パネルを照明する。
【００２０】
本発明に係るバックライト装置は、赤色光、緑色光、青色光をそれぞれ発光する複数の発光ダイオードからなる光源と、前記光源の投光方向に、前記光源に所定の間隔で対向するように配された、全光線透過率が５０乃至９３％、且つ、曇価が７０％乃至９３％であり、調光用ドットパターンが形成された、入射された赤色光、緑色光、青色光を混色させる拡散導光板とを備え、前記調光用ドットパターンの各ドットは、前記拡散導光板上の前記各発光ダイオードに１対１で対向する位置に、各ドットの形状が、前記発光ダイオードの発光中心に対して対称又は非対称となり、各ドットの面積が、２８乃至８６ｍｍ２となるように形成されていることを特徴とする。
【００２１】
このバックライト装置によれば、光源の消費電力を上げることなく十分な輝度値を確保すると共に、面状発光される光の輝度を均一化する。
【００２２】
本発明に係る液晶表示装置は、透過型の液晶表示パネルと、前記液晶表示パネルを背面側から照明するバックライト装置とを備える液晶表示装置であって、前記バックライト装置は、赤色光、緑色光、青色光をそれぞれ発光する複数の発光ダイオードからなる光源と、前記光源の投光方向に、前記光源に所定の間隔で対向するように配された、全光線透過率が５０乃至９３％、且つ、曇価が７０％乃至９３％であり、調光用ドットパターンが形成された、入射された赤色光、緑色光、青色光を混色させる拡散導光板とを備え、前記調光用ドットパターンの各ドットは、前記拡散導光板上の前記各発光ダイオードに１対１で対向する位置に、各ドットの形状が、前記発光ダイオードの発光中心に対して対称又は非対称となり、各ドットの面積が、２８乃至８６ｍｍ２となるように形成されていることを特徴とする。
【００２３】
この液晶表示装置によれば、バックライト装置によって、光源の消費電力を上げることなく確保された十分な輝度値を有し、さらに輝度が均一化されて面状発光された混色性の高い光で液晶表示パネルを照明する。
【発明の効果】
【００２４】
本発明のバックライト装置は、光源として線状に光を発光する光源、又は点状に光を発光する光源を用いた場合において、光源の消費電力を低消費電力としつつ、高輝度で均一な発光が可能で、薄型とすることが可能となる。
【００２５】
そして、このバックライト装置を備える液晶表示装置も薄型化されると共に、輝度ムラがなく、混色性の高い白色光で液晶表示パネルが照明されるため、非常に良好な画像を表示させることを可能とする。
【発明を実施するための最良の形態】
【００２６】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２７】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００２８】
｛第１の実施の形態｝（光源：冷陰極管）
まず、本発明の第１の実施の形態として示す液晶表示装置について説明をする。
【００２９】
（液晶表示装置の構成）
図１に、第１の実施の形態として示す液晶表示装置は、直下型のバックライト装置の光源として、線光源である冷陰極管を用いている。
【００３０】
このバックライト装置は、複数の冷陰極管（例えば、図１の蛍光管１３ａ乃至１３ｆ）と、複数の冷陰極管の投光方向に、全光線透過率が６２乃至７１％で、かつ、曇価が９０乃至９９％である、調光用ドットパターンが印刷された拡散板（例えば、図１の拡散板１５）とを備え、調光用ドットパターンの各ドットは、冷陰極管の間隔を２４乃至４８分割した位置に配置され、さらに、各ドットの径は、冷陰極管からの距離に応じて０．１６乃至０．７ｍｍであることを特徴とする。
【００３１】
図１は、本発明を適用した直下式面発光方式の液晶表示装置（ＬＣＤ）の一実施の形態の構成を示す図である。図１においては、ＬＣＤの側面図を示しており、ＬＣＤパネル１８上に画像が表示され、ユーザは、図中の上方からＬＣＤパネル１８上に表示された画像を視認する。なお、図１においては、ＬＣＤの筐体を構成するフレームや、電気配線および回路なども存在するがここでは図示が省略されている。
【００３２】
バックメタルフレーム１１は、ＬＣＤの筐体と一体となる部分、または、筐体に設置される部分である。反射シート１２は、図中上方の面が鏡面状に形成されており、蛍光管１３ａ乃至１３ｆにより発せられる光のうち、ＬＣＤパネル１８とは逆の方向に照射（投光）された光をＬＣＤパネル１８の方向に反射して、蛍光管１３ａ乃至１３ｆから発せられる光を効率よくＬＣＤパネル１８に照射させる。なお、反射シート１２は、光を反射するものであればよく、必ずしもシートである必要は無い。従って、反射シート１２の代わりに、例えば、反射板を設けるようにしてもよい。
【００３３】
蛍光管１３ａ乃至１３ｆは、径が略２ｍｍ程度の冷陰極管から構成され、図示せぬ回路から供給される電力により出射光輝度が、１７０００ｃｄ／ｍ2以上の白色の光を発して、ＬＣＤパネル１８に対して直接的に、または、反射シート１２を介して間接的に光を照射する（投光する）。蛍光管１３ａ乃至１３ｆは、それぞれ所定の間隔で配置されている。なお、以下において、蛍光管１３ａ乃至１３ｆを個々に区別する必要がない場合、単に蛍光管１３と称するものとし、その他の構成も同様に称する。また、図１においては、蛍光管１３ａ乃至１３ｆの６本の蛍光管から構成されているが、液晶表示装置のサイズに応じて適切な本数の蛍光管１３が用意され、配置されることになる。
【００３４】
拡散導光板１４は、蛍光管１３、または、反射シート１２から入射される光を拡散させながら、拡散板１５に導く。より詳細には、拡散導光板１４は、アクリル板から構成されており、蛍光管１３、または、反射シート１２から入射された光がアクリル板の中を屈折、および、反射しながら進んでいくうちに、向きを変え、全反射角より小さくなった成分の光が拡散しながらアクリル板からなる拡散導光板１４の表面に出て拡散板１５に発することにより入射された光を拡散しながら導光する。また、拡散導光板１４は、蛍光管１３群との距離ｄが略７ｍｍ以下程度とされる間隔で設けられている。
【００３５】
拡散板１５は、所定の板厚（例えば、２ｍｍ程度）の乳白色（例えば、曇価９０〜９９％）の光を拡散させる板であって、拡散導光板１４より入射された光を拡散してBEFシート１６に透過させる。より詳細には、拡散板１５に入射される光は、蛍光管１３の位置により上述したようにランプイメージを構成する縞が生じることになるが、拡散板１５は、その表面又は裏面に後述する調光用ドットパターン（以下、単にドットパターンとも称する）が所望の特性を有するインクを用いて印刷されている。
【００３６】
印刷された調光用ドットパターンは、インクの持つ反射性により入射した光を反射する。また、調光用ドットパターンは、インクに添加した遮光剤による遮光性と、拡散剤による拡散性とによって、入射した光を効率よく拡散反射する。一方、拡散板１５において、調光用ドットパターンが印刷されていない箇所では、入射した光は反射されずに、当該拡散板１５内に導かれることになる。このとき、拡散板１５内に入射された光は、当該拡散板１５内で内部拡散されることになる。このような調光用ドットパターンが印刷された拡散板１５は、線光源から出射された光を面状発光する際の問題となるランプイメージを抑制し、面全体の輝度を均一化させることができる。なお、この調光用ドットパターンについては、後で詳細に説明をする。
【００３７】
Ｐ偏光成分用の輝度向上シートであるBEF（Brightness Enhancement Firm）シート（商標：住友スリーエム社）１６は、拡散板１５から出射された光のうちのＰ成分の、ＬＣＤパネル１８の液晶の視野角（ＬＣＤパネル１８に垂直な方向に対して成す角であって、ＬＣＤパネル１８を透過した光がユーザに視認可能な角度）から外れた光を集光して、図１中上方向に光の進む方向を制限してＬＣＤパネル１８に透過させる。すなわち、ＬＣＤパネル１８の液晶には視野角があるため、ＬＣＤパネル１８に対して垂直な方向から所定の角度以上ずれた光は、ＬＣＤパネル１８を透過してもユーザには見えない。このため、BEFシート１６は、液晶の視野角に合わせて、視野角から外れた方向に出る光のP成分を集光し、ＬＣＤパネル１８の正面に向かわせることによって光を有効に利用することで、見た目の輝度を向上させる。なお、BEFシート１６は、Ｓ成分について、処理を加えることなく、そのままD-BEFシート１７に透過させる。
【００３８】
D-BEFシート（Ｓ成分用輝度向上シート）１７は、入射された光のうちのＳ成分を、Ｐ
成分に変換した後、ＬＣＤパネル１８の液晶の視野角から外れた光を集光して、図中上方向に光の進む方向を制限してＬＣＤパネル１８に透過させる。すなわち、ＬＣＤパネル１８には、Ｐ成分のみが透過される構成となるため、D-BEFシート１７は、Ｓ成分をＰ成分に偏向させた後、BEFシート１６と同様の処理を施し、ＬＣＤパネル１８に透過する。なお、D-BEFシート１７は、BEFシート１６により処理されたＰ成分については、処理を加えることなく、そのままＬＣＤパネル１８に透過させる。
【００３９】
すなわち、BEFシート１６、および、D-BEFシート１７は、それぞれの処理により拡散板１５によって拡散された光を、全てＰ成分に変換すると共に、ＬＣＤパネル１８の視野角に対して所定の範囲内の角度の光のみをＬＣＤパネル１８に透過させる。
【００４０】
ＬＣＤパネル１８は、図示せぬ信号線からの信号に基づいて、各画素単位で液晶の方向を制御し、蛍光管１３から発せられ、拡散導光板１４、拡散板１５、BEFシート１６、および、D-BEFシート１７を介して入射された光の透過量を変化させることにより、画像を構成し表示する。
【００４１】
次に、図２のＬＣＤの分解構成図を参照して、本発明を適用したＬＣＤの詳細な構成について説明する。
【００４２】
バックメタルフレーム１１は、アルミ板により形成されたハウジングであり、薄い略角皿型のものである。より詳細には、図２で示されるように、バックメタルフレーム１１には、長辺方向の両端に起立するように折曲された翼片１１ａ，１１ｂと、短片方向の両端で起立するように折曲された翼片１１ｃ，１１ｄが設けられている。翼片１１ｃ，１１ｄは、底面部に対して、所定の角度を持って斜め方向に折曲された構成となっている。このバックメタルフレーム１１の長手方向の両側には、蛍光管固定板２１ａ，２１ｂが配設されている。
【００４３】
蛍光管固定板２１ａ，２１ｂは、その両端が、上述した翼片１１ｃ，１１ｄに合致する角度となるように形成されている。この蛍光管固定板２１ａ，２１ｂは、高反射プラスチックにより成型されている。さらに、バックメタルフレーム１１の底部に接するエッジ側には、複数の蛍光管１３を固定するための、切り欠きまたは穴状の取り付け部ａ乃至ｆが形成されており、図２においては、６本の蛍光管１３ａ乃至１３ｆを取り付けられる構成となっている。蛍光管１３ａ乃至１３ｆの端部に対応する位置、すなわち、取り付け部ａ乃至ｆに対応する位置にはゴムキャップが装着されており、蛍光管固定板２１が、蛍光管１３を損傷させるような大きな負荷をかけることなく固定できる構成とされている。
【００４４】
バックメタルフレーム１１の内面側には、上述したように反射シート１２が配置される。この反射シート１２上に並列に、かつ、所定の間隔で蛍光ランプ１３ａ乃至１３ｆが配置されることになる。図３で示されるように、バックフレームメタル１１の蛍光管固定板２１を配置する部分には、ねじ穴Ｘ１乃至Ｘ５、および、ねじ穴Ｙ１乃至Ｙ５が形成されており、これに対応して蛍光管固定板２１にもねじを締め付けるための穴が形成されている。なお、図３は、図３（ａ）がバックフレームメタル１１の平面図であり、図３（ｂ）が図３（ａ）として示した平面図の下端部方向からみた側面図であり、図３（ｃ）が、平面図の右端部方向からみた側面図である。
【００４５】
図４，図５には、それぞれ蛍光管固定板２１ａの平面図、および、側面図が示されている。蛍光管固定板２１ａには、固定用の穴Ｘ１１乃至Ｘ１５が設けられるとともに、上面側の左右中点には、位置決めピンを取り付けるための穴Ｘ１６も形成されている。図示していないが、他方の蛍光管固定板２１ｂも同様の構造となっている。
【００４６】
上記した反射シート１２、蛍光管１３ａ乃至１３ｆ、蛍光管固定板２１ａ，２１ｂが組み立てられると、蛍光管１３群の上が開口したハウジングが形成される。このハウジングの開口部を塞ぐように、拡散導光板１４が配設され、さらに、その上方向に向かって拡散板１５、BEFシート１６、D-BEFシート１７、および、ＬＣＤパネル１８が順に配設される。
【００４７】
また、図６乃至図８には、蛍光管固定板２１ａのさらに他の実施例を示している。なお、図３において説明した蛍光管固定版２１ａと同様の構成については、同一の番号を付してあり、その説明は適宜省略する。図６と図７は、穴状の取り付け部ａ，ｂ，ｃ，ｄ，ｅ，ｆが分割された例であり、蛍光管１３を挟み込むことができる構成となっている。さらに、図６のものは、ゴム等のブッシュで蛍光管１３を保持するようにし、蛍光管固定板２１ａにはＵ字形の切り欠き部が形成されており、蛍光管１３の端部を保持したブッシュが押し込まれる構成となっている。また、図８においては、完全な分割型ではなく、ヒンジ部を有するように構成されている。また、蛍光管固定板２１ｂも、図６，７，８に示した構成と同様の構成とすることができる。
【００４８】
（印刷装置の構成）
次に、図９を参照して、図１の拡散板１５上にドットパターンを印刷する印刷装置について説明する。なお、図９においては、完全自動化した場合の印刷装置の構成例を示すものである。
【００４９】
拡散板確認部５１は、素材として供給される拡散板１５の形状やサイズなどを確認し、必要に応じて形状やサイズを加工し保護フィルム剥離部５２に供給する。保護フィルム剥離部５２は、拡散板確認部５１より供給された拡散板１５の素材の表面を保護する保護フィルムを剥離して表面印刷可能な状態に調整する。
【００５０】
除塵除電処理部５３は、拡散板１５の素材の表面に、例えば、保護フィルムを剥離することにより生じる粉塵を除電することにより除去し、印刷部５４に供給する。すなわち、拡散板１５は、アクリルにより構成されているため、その表面の保護フィルムを剥離する際、静電気が発生し、これに伴って塵がその表面に吸引される。そこで、除塵除電処理部５３は、拡散板１５の素材で発生した静電気を除去することによりアクリル部分を除塵する。
【００５１】
印刷部５４は、固定テーブルスライド方式により、除塵除電処理部５３より供給されてくる拡散板１５の素材の表面にドットパターンを印刷する。より詳細には、印刷部５４は、印刷制御部５６により制御され、固定テーブルからなる固定部５４ａで拡散板１５の素材を固定し（製版５４ｂとの隙間間隔や位置を設定して固定し）、製版５４ｂを上下から押圧してスライドさせながら、インク調合部５５により調合されたインクを用いて、拡散板１５に印刷し、印刷した拡散板１５を乾燥部５７に送り出す。
【００５２】
印刷方法を固定テーブルスライド方式にすることにより、製版５４ｂ上のインクを安定させ、製版５４ｂ内のドット部へのインク充填を容易なものとし、さらに、印刷面の上下左右の印圧の調整を容易なものとすることができる。また、印刷は、ドットパターンに対して長手方向に実行する。この処理により、ドットの左右を同一にすることができ、さらに、インクの広がりを抑制することができる。なお、製版５４ｂの生成方法については、詳細を後述する。また、ここで言う製版５４ｂとは、いわゆる、スクリーンであって、スクリーン上に印刷されたドットパターンに応じてインクが染み出し、結果的に、ドットパターンが被印刷物に印刷される。
【００５３】
インク調合部５５は、印刷制御部５６により制御され、遮光剤と拡散剤とを含む各種の原料（インクを構成する薬剤など）を所定の割合で調合し、印刷部５４に供給する。
【００５４】
遮光剤は、例えば、酸化チタン、硫化バリウム、炭酸カルシウム、炭化ケイ素、酸化アルミナ、酸化亜鉛、酸化ニッケル、水酸化カルシウム、酸化セリウム、硫化リチウム、チタン酸バリウム、四三酸化鉄、メタクリル樹脂粉末、雲母（セリサイト）、陶土粉末、カオリン、ベントナイト、群粉末、金粉末、または、パルプ繊維などである。
【００５５】
また、拡散剤は、例えば、酸化ケイ素、ガラスビーズ、ガラス粉末、ガラス繊維、液体シリコン、水晶粉末、金メッキ樹脂ビーズ、コレステリック液晶液、または、再結晶アクリル樹脂粉末などである。
【００５６】
また、インク調合部５５は、生成したインクに、紫外線防止剤を０〜７ｗｔ％、消泡剤を０〜１ｗｔ％添加するようにしてもよい。紫外線防止剤は、光源から発光される光に含まれる紫外線を防止し、消泡剤は、表面張力を下げることによりインク中の泡の発生を抑制する効果がある。
【００５７】
印刷制御部５６は、CPU（Central Processing Unit）、RAM（Read Only Memory）、および、ROM（Random Access Memory）や、キーボードや各種のボタンなどから構成される、いわゆるマイクロコンピュータであり、印刷部５４より出力される、ドットパターンが印刷された拡散板１５の印刷状態から、印刷のずれや、かすれなどを検出し、固定部５４ａに対して、位置や、印刷スピードを制御する情報を供給すると共に、インク調合部５５に調合する遮光剤と拡散剤の割合を制御する信号を発生し供給する。
【００５８】
乾燥部５７は、ドットパターンが印刷された拡散板１５をIR式（赤外線式）のヒータにより、印刷部５４に印刷されたドットパターンのインクを乾燥させ、乾燥した拡散板１５を冷却部５８に供給する。冷却部５８は、乾燥部５７により加熱された乾燥されたドットパターンが印刷されている拡散板１５を冷却し完成された拡散板１５を送出する。
【００５９】
（印刷装置による調光用ドットパターンの印刷処理工程）
次に、図１０のフローチャートを参照して、図９を参照して説明した印刷装置を用いて拡散板１５にドットパターンを印刷する処理について説明する。
【００６０】
ステップＳ１において、拡散板確認部５１は、供給された拡散板１５の素材の大きさや形状などを確認し、所定の大きさや形状のものであるか否かを判定し、所定の大きさや形状ではないときには、所定の大きさや形状に加工して、保護フィルム剥離部５２に供給する。
【００６１】
ステップＳ２において、保護フィルム剥離部５２は、拡散板確認部５１より供給された拡散板１５の素材の表面を保護する保護フィルムを剥離して表面印刷可能な状態に調整し、調整を完了した拡散板１５を除塵除電処理部５３に供給する。
【００６２】
ステップＳ３において、除塵除電処理部５３は、拡散板１５の素材の表面に、例えば、保護フィルムを剥離することにより生じる静電気により付着した塵を、除電することにより除去し、印刷部５４に供給する。
【００６３】
ステップＳ４において、印刷部５４の固定部５４ａは、除塵除電処理部５３より供給されてくる拡散板１５を、印刷制御部５６より供給される信号に基づいて、所定の位置に固定する。
【００６４】
ステップＳ５において、印刷制御部５６は、最初の印刷であるか否かを判定し、例えば、最初の印刷であると判定された場合、その処理は、ステップＳ６に進む。
【００６５】
また、ステップＳ５において、印刷制御部５６は、最初の印刷でないと判定した場合、処理をステップＳ１１へと進める。具体的には、最初の印刷ではない場合、すなわち、既に、特性値が求められているような場合、特性値を求めるための印刷や、特性値に基づいて各種設定をした後の空刷りなどが必要ないため、後述するステップＳ６乃至Ｓ１０の処理がスキップされることになる。
【００６６】
ステップＳ６において、印刷部５４の固定部５４ａは、さらに、製版５４ｂと、被印刷物である拡散板１５との隙間を、印刷制御部５６より供給される信号に基づいて調整する。
【００６７】
ステップＳ７において、インク調合部５５は、印刷制御部５６より供給される信号に基づいて、遮光剤、および、拡散剤を含む、インクを構成する各種の原料を所定の割合で調合し、印刷部５４に供給する。なお、各割合については、任意に設定できるようにしてもよい。
【００６８】
ステップＳ８において、印刷部５４は、製版５４ｂを押圧させることにより特性条件を確定するために印刷する。このとき、印刷制御部５６は、印刷された被印刷物の印刷状態から印刷にかかる特性条件、すなわち、印刷スピードやインクの量などの条件を求めて、印刷に適正な条件を設定する。
【００６９】
ステップＳ９において、印刷部５４は、ステップＳ８の処理により設定された特性条件に基づいて設定された条件で、空刷り印刷を実行する。この処理において、印刷制御部５６は、ドットパターンが印刷された拡散板１５の印刷状態から、製版５４ｂの全体にインクが染み渡るまで、すなわち、かすれなどが無くなるまで、空刷り印刷を実行する。
【００７０】
ステップＳ１０において、印刷制御部５６は、印刷状態が良好であるか否かを判定し、印刷状態が良好である、すなわち、かすれやずれが生じていないと判定された場合、ステップＳ１１に進み、本印刷を開始する。また、印刷制御部５６は、印刷状態が良好でないと判定した場合、工程をステップＳ９へと戻し、空刷りを繰り返すよう制御する。
【００７１】
ステップＳ１１において、印刷制御部５６は、拡散板１５に対して、調光用ドットパターンを印刷する本印刷を開始するよう制御する。このとき、インクを印刷する印刷回数は、印刷された結果形成された調光用ドットパターンによる遮光性が十分となり、所望の全光線透過率が得られるような膜厚となるまで、複数回繰り替えされることになる。
【００７２】
具体的には、１回の印刷では、５μｍ程度の膜厚の調光用ドットパターンとなるため、例えば白インクを用いて印刷した場合など、十分な遮光性が得られず、色ムラを向上させることができない。したがって、２回、３回と印刷回数を経ることで、十分な遮光性が得られる１２μｍ程度の膜厚の調光用ドットパターンを形成する。
【００７３】
また、黒色インクの濃度が高い灰色インク（銀色インク）を用いて、調光用ドットパターンを印刷する場合には、５μｍ程度の膜厚であっても十分な遮光性が得られるため、印刷回数は１回で十分となる。上述したように、用いるインクの種別に応じて、膜厚、つまり印刷回数を制御することで十分な遮光性を確保することができるが、異なる種別のインクを用いて、所望の全光線透過率が得られるようにすることもできる。例えば、１回目の印刷では、白インクを印刷し、２回目には、灰色インクを重ね塗りして調光用ドットパターンを形成することができる。このように、用いるインクを変えて複数回印刷を実行し調光用ドットパターンを形成すると、同一インクによる重ね塗りでは得ることができなかった、全光線透過率の微妙な調整をも行うことができる。
【００７４】
ステップＳ１２において、乾燥部１２は、ドットパターンが印刷された拡散板１５を乾燥し、冷却部５８に供給する。
【００７５】
ステップＳ１３において、冷却部１３は、乾燥が終了した拡散板１５を冷却し、ドットパターンが印刷された、拡散板１５として送出する。
【００７６】
以上の処理により、印刷が開始される場合にのみ、ステップＳ６乃至Ｓ１０の処理により、特性条件を確定させて印刷状態が良好になるまでの処理がなされる。この際、印刷される拡散板１５は、完全な状態のドットパターンでないため、拡散板１５としての機能を果たさない可能性が高いため、実際には、製品としては使用することができないものである。そこで、本印刷が開始されるまでは、テスト用の被印刷物を使用するなどしてもよい。
【００７７】
また、拡散板１５は、以上の処理によりドットパターンが印刷された後、光学的に要求された仕様であるか否かを調べる光学特性値測定が行われ、さらに、傷やゴミといったものが表面に付着しているか否かを調べる入光検査がなされた後、いずれにおいても異常がない場合、梱包されて出荷される。
【００７８】
なお、以上の処理においては、上述したように全ての処理が上述した図９で示された印刷装置により実現された場合について説明してきたが、各種の処理は、必ずしも図９で示した構成により実現されなくてもよく、例えば、人手により実現されてもよい。従って、図１０のフローチャートを参照して説明した処理は、ドットパターンを印刷する工程を示したものと見てもよい。
【００７９】
（製版生成装置の構成）
次に、図１１を参照して、上述した印刷装置の製版５４ｂを生成する製版生成装置について説明する。
【００８０】
感光乳剤塗布部７１は、スクリーンからなる製版５４ｂに感光乳剤を塗布し、感光乳剤を塗布した製版５４ｂを感光乳剤乾燥部７２に供給する。感光乳剤塗布部７２は、感光乳剤塗布部７１より供給された感光乳剤が塗布された製版５４ｂの感光乳剤を乾燥させて、焼付部７３に供給する。
【００８１】
焼付部７３は、所定のドットパターンに設定されたフィルムを用いて、感光乳剤が塗布された製版５４ｂにドットパターンを焼付け、ドットパターンを焼付けた製版５４ｂを現像定着部７４に供給する。
【００８２】
現像定着部７４は、ドットパターンが焼付けられた製版５４ｂの感光乳剤を現像すると共に、定着させて洗浄部７５に供給する。洗浄部７５は、ドットパターンが焼付けられた状態で定着した製版５４ｂを所定の洗浄液を用いて洗浄して洗浄乾燥部７６に出力する。
【００８３】
洗浄乾燥部７６は、洗浄部７５より供給されたドットパターンが焼付けられた製版５４ｂが洗浄される際に用いされた洗浄液を乾燥させて、完成された製版５４ｂとして送出する。
【００８４】
（製版生成装置による製版生成処理工程）
次に、図１２のフローチャートを参照して、図１１の製版生成装置による製版生成処理について説明する。
【００８５】
ステップＳ３１において、感光乳剤塗布部７１は、製版５４ｂ（スクリーン）を固定し、ステップＳ３２において、感光乳剤を塗布し、感光乳剤を塗布した製版５４ｂを感光乳剤乾燥部７２に供給する。
【００８６】
ステップＳ３３において、感光乳剤乾燥部７２は、感光乳剤が塗布された製版５４ｂを乾燥し、焼付部７３に供給する。
【００８７】
ステップＳ３４において、焼付部７３は、所定のドットパターンのフィルムを用いて、そのドットパターンを製版５４ｂに焼付け、現像定着部７４に供給する。
【００８８】
ステップＳ３５において、現像定着部７４は、ドットパターンが焼付けられた製版５４ｂを現像すると共に、定着させて洗浄部７５に供給する。
【００８９】
ステップＳ３６において、洗浄部７５は、現像定着部７４より供給された製版５４ｂに付着した現像液、および、定着液を所定の洗浄液で洗浄し、洗浄乾燥部７６に供給する。
【００９０】
ステップＳ３７において、洗浄乾燥部７６は、製版５４ｂが洗浄される際に用いられ、その際に付着した洗浄液を乾燥させる。
【００９１】
以上の処理により、ドットパターンが焼付けられた製版５４ｂが生成される。
【００９２】
なお、以上の処理においては、図１１で示された製版生成装置により実現された場合について説明してきたが、各種の処理は、必ずしも図１１で示した構成により実現されなくてもよく、例えば、人手により実現されてもよい。従って、図１２のフローチャートを参照して説明した処理は、製版５４ｂを生成する工程を示したものと見てもよい。
【００９３】
（調光用ドットパターンについての説明）
次に、図１３を参照して、拡散板１５の表面又は裏面に印刷されている調光用ドットパターンについて説明する。なお、図１３において、拡散板１５は、図中水平方向は、蛍光管１３の配設される方向であり、図中には、蛍光管１３ｂ，１３ｃが示されている。
【００９４】
拡散板１５に印刷されている調光用ドットパターンは、蛍光管１３の配設される間隔に応じて決定されるもので、蛍光管の間隔を２４乃至４８分割した位置に、千鳥配列で配置される。例えば、ＬＣＤのサイズが２３インチである場合、蛍光管１３の間隔は、２４ｍｍ程度である。従って、２４分割した場合、ドットが配置される間隔は、１ｍｍとなる。さらに、千鳥配列により、蛍光管１３の長手方向には０．５ｍｍ間隔で配置される。
【００９５】
すなわち、２３インチのＬＣＤで、蛍光管１３の間隔を２４分割した場合、図１３で示されるように、図中の垂直方向の間隔Ｐ−ｖは、１ｍｍとなり、図中の水平方向の間隔Ｐ−ｈは、０．５ｍｍ間隔で配置される。さらに、各列毎に、１行おきにドットが配置され、各列のドットは、垂直方向に１行ずつ互い違いに配置される。また、図１３においては、各ドットは、円状のドットであって、蛍光管１３からの距離に応じてその径が変化する。
【００９６】
例えば、各ドットの径は、図１４で示されるように変化する。すなわち、図１４においては、横軸は、図１３の垂直方向の位置を示すものであり、縦軸は、ドット径（ｍｍ）を示している。より詳細には、図１３の各ドットの位置を（列，行）で示す場合、（Ｈ２，Ｖ１）で示される位置のドットの径は、略０．１６ｍｍを示しており、次に、（Ｈ１，Ｖ２）で示される位置のドットの径は略０．２５ｍｍで示されている。同様にして、（Ｈ２，Ｖ３）では、略０．３ｍｍ、（Ｈ１，Ｖ４）では、略０．３７ｍｍ、（Ｈ２，Ｖ５）では、略０．４２ｍｍ、（Ｈ１，Ｖ６）では、略０．４８ｍｍ、（Ｈ２，Ｖ７）では、略０．５２ｍｍ、（Ｈ１，Ｖ８）では、略０．５６ｍｍ、（Ｈ２，Ｖ９）では、略０．５８ｍｍ、（Ｈ１，Ｖ１０）では、略０．６１ｍｍ、（Ｈ２，Ｖ１１）では、略０．６２ｍｍ、（Ｈ１，Ｖ１２）では、略０．６４ｍｍ、（Ｈ２，Ｖ１３）では、略０．６５ｍｍ、（Ｈ１，Ｖ１４）では、略０．６４ｍｍ、（Ｈ２，Ｖ１５）では、略０．６２ｍｍ、（Ｈ１，Ｖ１６）では、略０．６１ｍｍ、（Ｈ２，Ｖ１７）では、略０．５９ｍｍ、（Ｈ１，Ｖ１８）では、略０．５６ｍｍ、（Ｈ２，Ｖ１９）では、略０．５３ｍｍ、（Ｈ１，Ｖ２０）では、略０．４８ｍｍ、（Ｈ２，Ｖ２１）では、略０．４４ｍｍ、（Ｈ１，Ｖ２２）では、略０．３８ｍｍ、（Ｈ２，Ｖ２３）では、略０．３２ｍｍ、（Ｈ１，Ｖ２４）では、略０．２５ｍｍ、および（Ｈ２，Ｖ２５）では、略０．１７ｍｍとなっている。このようにドットの径を蛍光管１３からの距離に応じて、略０．１６乃至０．６５まで変化させることにより、蛍光管１３からの距離に応じて、真上に近い位置においては、遮光する光量を増大させ、逆に、蛍光管１３からの距離の遠い位置においては、遮光する光量を減少させるような調光ドットパターンが生成される。
【００９７】
このように各列毎に、１行おきに図１４で示されるグラフのような関係に基づいて、ド
ットの径を変化させて、さらに、１列おきに１行ずつ位置を互い違いに配置することによ
り、全光線透過率が６２％となる。
【００９８】
また、各ドットは、遮光剤と拡散剤がそれぞれ遮光剤濃度１８乃至３２ｗｔ％、および
、拡散剤濃度３．０乃至４．５ｗｔ％で調合されたインクを用いて印刷されている。
【００９９】
蛍光管１３は、上述したように、例えば、２４ｍｍ間隔で配設された場合、蛍光管１３の真上の輝度と、蛍光管１３間の中央位置の輝度との輝度差を７００乃至１４００ｃｄ／ｍ2とするとき、図１０のように、調光ドットパターンを設けるようにすることで、蛍光管１３の真上の輝度と、蛍光管１３間の中央位置の輝度との輝度差は、５００ｃｄ／ｍ2以下とすることができ、従来全体としての輝度が６４００ｃｄ／ｍ2であったのに対して、全体として輝度を７５００ｃｄ／ｍ2とすることができる。
【０１００】
すなわち、全光線透過率が略６２％（概ね６２％の近傍）となり、従来の全光線透過率（従来は５０％以下であった）よりも高いものとすることができたため、蛍光管１３の輝度を高めることなく、高輝度の均一な光を発することができる。また、輝度を同一とした場合の電力を削減することができ、最終製品である液晶ディスプレイの省電力化を実現することができる。
【０１０１】
また、以上のような、調光ドットパターンを用いることにより、蛍光管１３と拡散拡散板１５との距離を０．７ｍｍ以下にしても、蛍光管１３の真上の輝度と、蛍光管１３間の中央位置の輝度との輝度差は、５００以下ｃｄ／ｍ2とすることができるので、薄型のＬＣＤを形成することが可能となる。
【０１０２】
なお、以上のようなドットパターンの全光線透過率（開口率）は、所定の電流、および、電圧条件で蛍光管１３を発光させた状態で、輝度測定器（例えば、トプコン社製：BM-7）によりＬＣＤパネル１８上の蛍光管１３間に所定の間隔で設定される複数のポイント（例えば、蛍光管１３間に７２ポイント）上で輝度を測定し、それぞれの輝度差を測定の上、単位面積当たりの全光線透過率を蛍光管１３からの距離に応じて、蛍光管１３上に近い位置では全光線透過率を小さくし、蛍光管１３の中間位置に近づくほど全光線透過率を大きくするように設定する。
【０１０３】
また、以上の例においては、ドットの形状は、円形である場合について説明してきたが、ドットを形成する面積が、蛍光管１３の間の位置に応じた全光線透過率が、上述した円形のドットと同様に変化できるものであればよく、円形に限るものではない。すなわち、例えば、ドットの形状は、楕円や方形などであってもよいし、対称、非対称のいずれの形状であってもよい。
【０１０４】
さらに、以上の例においては、蛍光管１３間を２４分割した場合について説明してきたが、上述したように２４乃至４８分割の範囲であれば、分割数を変えてもよい。この場合、各ドットの水平方向の間隔Ｐ−ｈは、０．２５乃至０．５ｍｍの範囲で、垂直方向の間隔Ｐ−ｖは、０．６乃至１ｍｍの範囲で、それぞれ分割数に応じて変化する。すなわち、各ドットは、各列において１行おきに、また、１列毎に垂直方向に互い違いに配置されるので、ドットの間隔としては、水平方向に０．５乃至１ｍｍ毎に、また、垂直方向に１．２乃至２ｍｍ毎に配置される。
【０１０５】
図１５は、ＬＣＤのサイズが２３インチの場合の蛍光管１３間の間隔を４８分割にしたときの調光用ドットパターンを示したものである。
【０１０６】
図１５においては、２３インチのＬＣＤで、蛍光管１３の間隔を４８分割した場合を示しており、図中の垂直方向の間隔Ｐ’−ｖは、０．６ｍｍとなり、図中の水平方向の間隔Ｐ’−ｈは、０．２５ｍｍ間隔で配置される。
【０１０７】
図１５の場合、ドットの径は蛍光管１３からの距離に応じて、略０．２乃至０．４ｍｍまで変化させることにより、蛍光管１３からの距離に応じて、真上に近い位置においては、遮光する光量を増大させ、逆に、蛍光管１３からの距離の遠い位置においては、遮光する光量を減少させ、さらに、１列おきに１行ずつ位置を互い違いに配置する（千鳥配列に配置する）ことにより、全光線透過率が７０％となる。
【０１０８】
結果として、例えば、蛍光管１３が２４ｍｍ間隔で配設された場合、蛍光管１３の真上の輝度と、蛍光管１３間の中央位置の輝度との輝度差を７００乃至１４００ｃｄ／ｍ2とするとき、図１５のように、拡散板１５に調光ドットパターンを設けるようにすることで、蛍光管１３の真上の輝度と、蛍光管１３間の中央位置の輝度との輝度差は、５００以下ｃｄ／ｍ2とすることができ、従来全体としての輝度が６７００ｃｄ／ｍ2であったのに対して、全体として輝度を７９００ｃｄ／ｍ2とすることができる。
【０１０９】
すなわち、全光線透過率が略７０％（概ね７０％の近傍）となり、従来の全光線透過率（従来は５０％以下であった）よりも高いものとすることができたため、蛍光管１３の輝度を高めることなく、高輝度の均一な光を発することができる。また、輝度を同一とした場合の電力を削減することができ、最終製品である液晶ディスプレイの省電力化を実現することができる。
【０１１０】
さらに、蛍光管１３の間隔は、上述したように２４分割や４８分割に限るものでなく、２４乃至４８分割の間のいずれかであればよく、例えば、２３インチのＬＣＤにおいて、隣り合う蛍光管１３同士の間を３０分割した場合、その分割間隔は、０．８ｍｍとなる。一方、蛍光管１３の長手方向に印刷されるドットの間隔は、０．４ｍｍとなる。
【０１１１】
３０分割の場合、ドットの径は蛍光管１３からの距離に応じて、略０．４乃至０．８ｍｍまで変化させることにより、蛍光管１３からの距離に応じて、真上に近い位置においては、遮光する光量を増大させ、逆に、蛍光管１３からの距離の遠い位置においては、遮光する光量を減少させ、さらに、１列おきに１行ずつ位置を互い違いに配置する（千鳥配列に配置する）ことにより、全光線透過率が６６％となる。
【０１１２】
結果として、例えば、２４ｍｍ間隔で配設された場合、蛍光管１３の真上の輝度と、蛍光管１３間の中央位置の輝度との輝度差を７００乃至１４００ｃｄ／ｍ2とするとき、蛍光管１３間を３０分割した調光ドットパターンを設けるようにすることで、蛍光管１３の真上の輝度と、蛍光管１３間の中央位置の輝度との輝度差は、５００以下ｃｄ／ｍ2とすることができ、従来全体としての輝度が６５５０ｃｄ／ｍ2であったのに対して、全体として輝度を７７００ｃｄ／ｍ2とすることができる。
【０１１３】
すなわち、全光線透過率が略６６％（概ね６６％の近傍）となり、従来の全光線透過率（従来は５０％以下であった）よりも高いものとすることができたため、蛍光管１３の輝度を高めることなく、高輝度の均一な光を発することができる。また、輝度を同一とした場合の電力を削減することができ、最終製品である液晶ディスプレイの省電力化を実現することができる。
【０１１４】
以上のように、ドットパターンの各ドット径を、蛍光管からの距離に応じて０．１６乃至０．７ｍｍで変化させ、さらに、蛍光管の間隔を２４乃至４８の範囲で分割した位置に配置するようにすることで、蛍光管の投光方向に、全光線透過率を６２乃至７１％とすることができる。このため、全光線透過率を向上させることができ、蛍光管１３の輝度を高めることなく、高輝度の均一な光を発することができる。結果として、輝度を同一とした場合の電力を削減することが可能となり、さらに、最終製品である液晶ディスプレイの省電力化を実現することが可能となる。
【０１１５】
このように、第１の実施の形態として示した液晶表示装置では、光源を線光源である冷陰極管とするバックライト装置が備える拡散板１５に対して調光用ドットパターンを印刷することで、面状発光される照明光の輝度を、均一化すると共に、光源のパワー、つまり消費電力を上げることなく十分確保することができる。
【０１１６】
このように、拡散板１５に印刷した調光用ドットパターンは、拡散導光板１４に対しても同じように印刷することができ、拡散板１５に印刷した場合と同等の効果を得ることができる。さらに、拡散導光板１４と、拡散板１５とに、この調光用ドットパターンを印刷しても同等の効果を得ることができる。
【０１１７】
｛第２の実施の形態｝（光源：発光ダイオード）
続いて、本発明の第２の実施の形態として示す液晶表示装置について説明をする。
【０１１８】
（液晶表示装置の構成）
図１６に第２の実施の形態として示す液晶表示装置１００は、直下型のバックライト装置１４０の光源として、点光源である発光ダイオードを用いている。
【０１１９】
透過型の液晶表示装置１００は、透過型の液晶表示パネル１１０と、この液晶表示パネル１１０の背面側に設けられたバックライト装置１４０とからなる。また、図示しないが、この液晶表示装置１００は、地上波や衛星波を受信するアナログチューナー、デジタルチューナーといった受信部、この受信部で受信した映像信号、音声信号をそれぞれ処理する映像信号処理部、音声信号処理部、音声信号処理部で処理された音声信号を出力するスピーカといった音声信号出力部などを備えていてもよい。
【０１２０】
透過型の液晶表示パネル１１０は、ガラス等で構成された２枚の透明な基板（ＴＦＴ基板１１１、対向電極基板１１２）を互いに対向配置させ、その間隙に、例えば、ツイステッドネマチック（ＴＮ）液晶を封入した液晶層１１３を設けた構成となっている。ＴＦＴ基板１１１には、マトリクス状に配置された信号線１１４と、走査線１１５と、この信号線１１４、走査線１１５の交点に配置されたスイッチング素子としての薄膜トランジスタ１１６と、画素電極１１７とが形成されている。薄膜トランジスタ１１６は、走査線１１５により、順次選択されると共に、信号線１１４から供給される映像信号を、対応する画素電極１１７に書き込む。一方、対向電極基板１１２の内表面には、対向電極１１８及びカラーフィルタ１１９が形成されている。
【０１２１】
液晶表示装置１００は、このような構成の透過型の液晶表示パネル１１０を２枚の偏光板１３１，１３２で挟み、バックライト装置１４０により背面側から白色光を照射した状態で、アクティブマトリクス方式で駆動することによって、所望のフルカラー映像を表示させることができる。
【０１２２】
バックライト装置１４０は、上記液晶表示パネル１１０を背面側から照明する。図１６に示すように、バックライト装置１４０は、ここでは図示していない光源や、光源から出射された光を白色光へと混色する機能などが組み込まれたバックライト筐体部１２０内に、拡散板１４１や、拡散板１４１上に重ねて配置される拡散シート１４２、プリズムシート１４３、偏光変換シート１４４といった光学シート群１４５などを備えた構成となっている。拡散板１４１は、光源から出射された光を、内部拡散させることで、面発光における輝度の均一化を行う。また、光学シート群１４５は、拡散板１４１から出射された白色光を、拡散板１４１の法線方向に立ち上げることで、面発光における輝度を上昇させる働きをする。
【０１２３】
図１７にバックライト筐体部１２０内の概略構成図を示す。図１７に示すように、バックライト筐体部１２０は、赤色光を発光する赤色発光ダイオード１２１Ｒ、緑色光を発光する緑色発光ダイオード１２１Ｇ、青色光を発光する青色発光ダイオード１２１Ｂを光源として用いている。なお、以下の説明において、赤色発光ダイオード１２１Ｒ、緑色発光ダイオード１２１Ｇ、青色発光ダイオード１２１Ｂを総称する場合は、単に発光ダイオード１２１と呼ぶ。
【０１２４】
図１７に示すように各発光ダイオード１２１は、基板１２２上に、所望の順番で一列に配列され、発光ダイオードユニット１２１ｎ（ｎは、自然数。）を形成する。基板１２２上に各発光ダイオード１２１を配列する順番は、例えば、図１７に示すように、緑色発光ダイオード１２１Ｇ、赤色発光ダイオード１２１Ｒ、緑色発光ダイオード１２１Ｇ、青色発光ダイオード１２１Ｂという順番で配置させた４個の発光ダイオード１２１を繰り返し単位とするような配列である。つまり、所定の間隔で配置される、緑色発光ダイオード２１Ｇの間に、赤色発光ダイオード２１Ｒ、青色発光ダイオード２１Ｂが交互に配置されるように配列されている。
【０１２５】
発光ダイオード１２１の配列は、上述した配列に限定されるものではなく、カラー液晶表示パネル１０を照明する際の照明光が所望の白色光となるような配列であればどのような配列であってもよい。
【０１２６】
発光ダイオードユニット１２１ｎは、バックライト装置１４０が照明する液晶表示パネル１１０のサイズに応じて、バックライト筐体部１２０内に、複数列、配置されることになる。バックライト筐体部１２０内への発光ダイオードユニット１２１ｎの配置の仕方は、図１７に示すように、発光ダイオードユニット１２１ｎの長手方向が、水平方向となるように配置してもよいし、図示しないが、発光ダイオードユニット１２１ｎの長手方向が垂直方向となるように配置してもよいし、両者を組み合わせても良い。
【０１２７】
なお、発光ダイオードユニット１２１ｎの長手方向を、水平方向或いは垂直方向とするように配置する手法は、バックライト装置の光源として利用されることの多かった蛍光管の配置の仕方と同じになるため、蓄積された設計ノウハウを利用することができ、コストの削減や、製造までに要する時間を短縮することができる。
【０１２８】
バックライト筐体部１２０内に発光ダイオードユニット１２１ｎとして配された赤色発光ダイオード１２１Ｒ、緑色発光ダイオード１２１Ｇ、青色発光ダイオード１２１Ｂから発光された光は、当該バックライト筐体部１２０内で混色されて白色光とされる。このとき、各発光ダイオード１２１から出射した赤色光、緑色光、青色光が、バックライト筐体部１２０内にて一様に混色されるように、各発光ダイオード１２１には、レンズやプリズム、反射鏡などを配置させて、広指向性の出射光が得られるようにする。
【０１２９】
また、図１７に示すように、バックライト筐体部１２０内には、各発光ダイオード１２１から出射された赤色光、緑色光、青色光を混色させるための拡散導光板（ダイバータプレート）１２５が、光源である発光ダイオードユニット１２１ｎを覆うようにして設けられている。
【０１３０】
拡散導光板１２５は、上述した第１の実施の形態で示した液晶表示装置が備えるバックライト装置に設けられていた拡散導光板１４と同様の部材であり、本実施の形態においては、光源として３原色を発光する発光ダイオードを用いているため混色機能を備えた形になっている。拡散導光板１２５は、曇価を７０乃至９３％、全光線透過率を５０乃至９３％とするＰＭＭＡ（Polymethyl Methacrylate：ポリメチルメタクリレート）、ＰＣ（PolyCarbonate：ポリカーボネイト）、ＰＥＴ（Polyethylene Terephthalate：ポリエチレンテレフタラート）、ポリオレフィン、ガラスなどで形成されており、発光ダイオード１２１から出射された光、後述する反射シート１２６で反射された光を拡散させる。
【０１３１】
この拡散導光板１２５の光入射面１２５ａ又は光出射面１２５ｂには、赤色光、緑色光、青色光の混色性を増し、課題で述べた各発光ダイオード１２１によるランプイメージを排除するために調光用ドットパターンが形成されている。この調光用ドットパターンは、上述した第１の実施の形態として示した液晶表示装置の拡散板１５に形成された調光用ドットパターンと同様の機能を有しており、調光用ドットパターンに入射された光を拡散反射させる。なお、この拡散導光板１２５に形成された調光用ドットパターンについては、後で詳細に説明をする。
【０１３２】
図１６に示す拡散板１４１は、所定の板厚（例えば、２ｍｍ程度）の乳白色（例えば、曇価９０〜９９％）の光を拡散させる板であって、拡散導光板１２５で混色された光を拡散し、均一な輝度の白色光として光学シート群１４５に出射する。光学シート群１４５は、この白色光を拡散板１４１の法線方向に立ち上げ、輝度を上昇させる。
【０１３３】
図１８に、液晶表示装置１００を組み上げた際に、図１６に示す液晶表示装置１００に付したＸＸ線で切断した際の断面図を一部示す。図１８に示すように、液晶表示装置１００を構成する液晶表示パネル１１０は、液晶表示装置１００の外部筐体となる外部フレーム１０１と、内部フレーム１０２とによって、スペーサ１０３ａ，１０３ｂを介して挟み込むように保持される。また、外部フレーム１０１と、内部フレーム１０２との間には、ガイド部材１０４が設けられており、外部フレーム１０１と、内部フレーム１０２によって挟まれた液晶表示パネル１１０が長手方向へずれてしまうことを抑制している。
【０１３４】
一方、液晶表示装置１００を構成するバックライト装置１４０は、上述したように光学シート群１４５が積層された拡散板１４１と、拡散導光板１２５とを備えている。また、拡散導光板１２５と、バックライト筐体部１２０との間には、反射シート１２６が配されている。反射シート１２６は、その反射面が、拡散導光板１２５の光入射面１２５ａと対向するように、且つ発光ダイオード１２１の発光方向よりもバックライト筐体部１２０側となるように配されている。
【０１３５】
反射シート１２６は、例えば、シート基材上に銀反射膜、低屈折率膜、高屈折率膜を順に積層することで形成された銀増反射膜などである。この反射シート１２６は、主に発光ダイオード１２５から発光され、拡散導光板１２５で反射されて入射した光を反射する。
【０１３６】
バックライト装置１４０が備える拡散板１４１、拡散導光板１２５、反射シート１２６は、図１８に示すように、それぞれが互いに対向するように配置されており、バックライト筐体部１２０に複数設けられた光学スタット１０５によって、互いの対向間隔を保ちながら当該バックライト装置１４０のバックライト筐体部１２０内に保持されている。このとき、拡散板１４１は、バックライト筐体部１２０に設けられたブラケット部材１０８でも保持されることになる。
【０１３７】
（液晶表示装置の駆動回路）
このような構成の液晶表示装置１００は、例えば、図１９に示すような駆動回路２００により駆動される。駆動回路２００は、液晶表示パネル１１０や、バックライト装置１４０の駆動電源を供給する電源部２１０、液晶表示パネル１１０を駆動するＸドライバ回路２２０及びＹドライバ回路２３０、外部から供給される映像信号や、当該液晶表示装置１００が備える図示しない受信部で受信され、映像信号処理部で処理された映像信号が、入力端子２４０を介して供給されるＲＧＢプロセス処理部２５０、このＲＧＢプロセス処理部２５０に接続された画像メモリ２６０及び制御部２７０、バックライト装置１４０を駆動制御するバックライト駆動制御部２８０などを備えている。
【０１３８】
この駆動回路２００において、入力端子２４０を介して入力された映像信号は、ＲＧＢプロセス処理部２５０により、クロマ処理などの信号処理がなされ、さらに、コンポジット信号から液晶表示パネル１１０の駆動に適したＲＧＢセパレート信号に変換されて、制御部２７０に供給されるとともに、画像メモリ２６０を介してＸドライバ２２０に供給される。
【０１３９】
また、制御部２７０は、上記ＲＧＢセパレート信号に応じた所定のタイミングで、Ｘドライバ回路２２０及びＹドライバ回路２３０を制御して、上記画像メモリ２６０を介してＸドライバ回路２２０に供給されるＲＧＢセパレート信号で、液晶表示パネル１１０を駆動することにより、上記ＲＧＢセパレート信号に応じた映像を表示する。
【０１４０】
バックライト駆動制御部２８０は、電源２１０から供給される電圧から、パルス幅変調（ＰＷＭ）信号を生成し、バックライト装置１４０の光源である各発光ダイオード１２１を駆動する。一般に発光ダイオードの色温度は、動作電流に依存するという特性がある。したがって、所望の輝度を得ながら、忠実に色再現させる（色温度を一定とする）には、パルス幅変調信号を使って発光ダイオード１２１を駆動し、色の変化を抑える必要がある。
【０１４１】
ユーザインターフェース３００は、上述した図示しない受信部で受信するチャンネルを選択したり、同じく図示しない音声出力部で出力させる音声出力量を調整したり、液晶表示パネル１１０を照明するバックライト装置１４０からの白色光の輝度調節、ホワイトバランス調節などを実行するためのインターフェースである。
【０１４２】
例えば、ユーザインターフェース３００から、ユーザが輝度調節をした場合には、駆動回路２００の制御部２７０を介してバックライト駆動制御部２８０に輝度制御信号が伝わる。バックライト駆動制御部２８０は、この輝度制御信号に応じて、パルス幅変調信号のデューティ比を、赤色発光ダイオード１２１Ｒ、緑色発光ダイオード１２１Ｇ、青色発光ダイオード１２１Ｂ毎に変えて、赤色発光ダイオード１２１Ｒ、緑色発光ダイオード１２１Ｇ、青色発光ダイオード１２１Ｂを駆動制御することになる。
【０１４３】
（調光用ドットパターン）
続いて、拡散導光板１２５に形成される調光用ドットパターンについて詳細に説明をする。図２４に示すように、調光用ドットパターンは、発光ダイオードユニット１２１ｎが備える各発光ダイオード１２１に対して、１対１で対向する調光用ドット１２７を拡散導光板１２５の光入射面１２５ａ又は光出射面１２５ｂに印刷することで形成される。
【０１４４】
拡散導光板１２５に印刷された調光用ドットパターンは、インクの持つ反射性により入射した光を反射する。また、調光用ドットパターンは、インクに添加した遮光剤による遮光性と、拡散剤による拡散性とによって、入射した光を効率よく拡散反射する。このような調光用ドットパターンが印刷された拡散導光板１２５は、点光源から出射された光を面状発光する際の問題となる、発光ダイオード１２１の発光指向性によって生ずる、いわゆるランプイメージと呼ばれる部分的な高輝度領域の発生を抑制し、面全体の輝度を均一化させることができる。
【０１４５】
また、調光用ドットパターンが印刷されたことによって、拡散導光板１２５の拡散効果が向上するため、発光ダイオード１２１から発光された各色光の混色性を高め、色ムラを抑制することができる。
【０１４６】
例えば、図２０（ｂ）に示すように、調光用ドットパターンを印刷していない拡散導光板１２５を、発光ダイオード１２１（繰り返し単位のみを記載）で照明した際に、拡散導光板１２５を介して出射される光は、混色性が悪く図２０（ａ）に示すように、赤色発光ダイオード１２１Ｒの直上では、赤色光が強く視認され、青色発光ダイオード１２１Ｂの直上では、青色光が強く視認されるような光となり色ムラが顕著に現れてしまう。
【０１４７】
これに対して、図２１（ｂ）に示すように複数の調光用ドット１２７で構成された調光用ドットパターンを印刷した拡散導光板１２５を、発光ダイオード１２１（繰り返し単位のみ記載）で照明すると、拡散導光板１２５を介して出射される光は、図２１（ａ）に示すような非常に高い混色性を示し、色ムラが大幅に抑制された光となる。
【０１４８】
拡散導光板１２５へ印刷する調光用ドットパターンは、第１の実施の形態において、拡散板１５に対して印刷された調光用ドットパターンと全く同じ印刷手法を用いて印刷されることになる。つまり、図１１に示した製版生成装置にて調光用ドットパターンの製版を生成し、図９に示した印刷装置にて、図１０に示した印刷処理工程を経て、所望の特性を備えるインクを使用して拡散導光板１２５へ調光用ドットパターンが印刷されることになる。
【０１４９】
調光用ドットパターンを印刷する際に使用するインクは、遮光剤と拡散剤とを含む各種の原料（インクを構成する薬剤など）を所定の割合で調合することで得られる。インクに添加する遮光剤、拡散剤としては、以下に、一例として示すような材料を使用することができる。
【０１５０】
遮光剤としては、例えば、酸化チタン、硫化バリウム、炭酸カルシウム、炭化ケイ素、酸化アルミナ、酸化亜鉛、酸化ニッケル、水酸化カルシウム、酸化セリウム、硫化リチウム、チタン酸バリウム、四三酸化鉄、メタクリル樹脂粉末、雲母（セリサイト）、陶土粉末、カオリン、ベントナイト、群粉末、金粉末、または、パルプ繊維などが使用可能である。
【０１５１】
また、拡散剤としては、例えば、酸化ケイ素、ガラスビーズ、ガラス粉末、ガラス繊維、液体シリコン、水晶粉末、金メッキ樹脂ビーズ、コレステリック液晶液、または、再結晶アクリル樹脂粉末などが使用可能である。
【０１５２】
また、生成したインクに、紫外線防止剤を０〜７ｗｔ％、消泡剤を０〜１ｗｔ％添加するようにしてもよい。紫外線防止剤は、光源から発光される光に含まれる紫外線を防止し、消泡剤は、表面張力を下げることによりインク中の泡の発生を抑制する効果がある。
【０１５３】
図９に示した印刷装置にて、図１０に示した印刷処理工程を経て、拡散導光板１２５へ調光用ドットパターンを印刷する際に、ステップＳ１１において、印刷制御部５６は、拡散導光板１２５に対して、調光用ドットパターンを印刷する本印刷を開始するよう制御する。このとき、インクを印刷する印刷回数は、印刷された結果形成された調光用ドットパターンによる遮光性が十分となり、所望の全光線透過率が得られるような膜厚となるまで、複数回繰り替えされることになる。
【０１５４】
具体的には、１回の印刷では、５μｍ程度の膜厚の調光用ドットパターンとなるため、例えば白インクを用いて印刷した場合など、十分な遮光性が得られず、色ムラを向上させることができない。したがって、２回、３回と印刷回数を経ることで、十分な遮光性が得られる１２μｍ程度の膜厚の調光用ドットパターンを形成する。
【０１５５】
例えば、拡散導光板１２５に１回の印刷によって調光用ドットパターンを形成した場合、この拡散導光板１２５を介して出射される光は、図２２（ａ）に示す発光ダイオード１２１を繰り返し単位のみ記載した各発光ダイオードユニット１２１ｎの直上と、各発光ダイオードユニット１２１ｎ間上とにおいて、検出される主な波長帯域が異なり、図２２（ｂ）に示すような色ムラが発生してしまうことになる。
【０１５６】
これに対して、拡散導光板１２５に２又は３回の印刷によって調光用ドットパターンを形成した場合、この拡散導光板１２５を介して出射される光は、図２３（ａ）に示す発光ダイオード１２１を繰り返し単位のみ記載した各発光ダイオードユニット１２１ｎの直上、各発光ダイオードユニット１２１ｎ間上において、検出される波長帯域がほぼ等しく、図２３（ｂ）に示すように色ムラが抑制された白色光となる。
【０１５７】
また、灰色インク（銀色インク）を用いて、調光用ドットパターンを印刷する場合には、５μｍ程度の膜厚であっても十分な遮光性が得られるため、印刷回数は１回で十分となる。
【０１５８】
上述したように、用いるインクの種別に応じて、膜厚、つまり印刷回数を制御することで十分な遮光性を確保することができるが、異なる種別のインクを用いて、所望の全光線透過率が得られるようにすることもできる。例えば、１回目の印刷では、白インクを印刷し、２回目には、灰色インクを重ね塗りして調光用ドットパターンを形成することができる。このように、用いるインクを変えて複数回印刷を実行し調光用ドットパターンを形成すると、同一インクによる重ね塗りでは得ることができなかった、全光線透過率の微妙な調整をも行うことができる。
【０１５９】
図２４に示すように、調光用ドットパターンの各調光用ドット１２７は、発光ダイオード１２１の外形、特に光を発光する発光部の外形よりも必ず大きくすることを前提とし、各発光ダイオード１２１との間隔（距離）に応じて大きさを変化させる。
【０１６０】
例えば、発光ダイオード１２１と、調光用ドット１２７との間隔が短い場合には、発光ダイオード１２１から発光された光があまり広がらずに調光用ドット１２７に到達するため、調光用ドット１２７の大きさ、つまり面積を小さくする。一方、発光ダイオード１２１と、調光用ドット１２７との間隔が長い場合には、発光ダイオード１２１から発光された光が広がって調光用ドット１２７に到達するため、調光用ドットの大きさ、つまり面積を大きくする。
【０１６１】
具体的には、全光線透過率が５０％〜９３％の拡散導光板１２５を用いる場合、全光線透過率に応じて、調光用ドット１２７の面積ＳをＳ＝２８〜８６ｍｍ２の範囲内において任意に調節することで、上述した色ムラなどの問題を抑制することができる。
【０１６２】
また、図２４では、発光ダイオード１２１の発光中心と、調光用ドット１２７の中心とが一致して示されているが、上述したように、調光用ドット１２７の面積Ｓが、Ｓ＝２８〜８６ｍｍ２を満たしていればよく、例えば、図２５に示すように、発光ダイオード１２１の発光中心１２１ｃと、調光用ドット１２７のドット中心１２７ｃとが一致していなくてもよい。また、調光用ドット１２７の形状も図２４、図２５に示したように楕円だけに限定されるものではなく、調光用ドット１２７の面積Ｓが、Ｓ＝２８〜８６ｍｍ２を満たしていればどのような形状であってもよい。言い換えれば、各調光用ドット１２７の形状は、調光用ドット１２７の面積Ｓが、Ｓ＝２８〜８６ｍｍ２を満たし、発光ダイオード１２１の発光中心１２１ｃに対して対称又は非対称となっている。
【０１６３】
また、調光用ドットパターンの調光用ドット１２７は、当該調光用ドット１２７の形状、面積、当該調光用ドット１２７を形成するインク材料の組成を、１対１で対応している赤色発光ダイオード１２１Ｒ、緑色発光ダイオード１２１Ｇ、青色発光ダイオード１２１Ｂ毎、つまり各色光毎に異なるようにしてもよい。これにより、製版生成装置によって製版を生成する工程や、印刷装置による印刷工程が若干複雑になるが、各調光用ドット１２７の遮光性、反射性を個別に調整することで、さらなる輝度の上昇、面状発光された光の輝度の均一化、色ムラの抑制を実現することができる。
【０１６４】
次に、このような、調光用ドットパターンが形成された拡散導光板１２５を用いた場合の、各発光ダイオード１２１から出射される赤色光、緑色光、青色光の光路について説明をする。
【０１６５】
（調光用ドットパターンを光入射面１２５ａに印刷した場合）
まず、拡散導光板１２５の光入射面１２５ａに調光用ドットパターンを形成した場合の光路について説明をする。拡散導光板１２５の光入射面１２５ａに調光用ドットパターンを形成した場合、各発光ダイオード１２１から出射された光は、所定の指向性を持って、まず、拡散導光板１２５の光入射面１２５ａに入射することになる。
【０１６６】
光入射面１２５ａに入射した各色光のうち、調光用ドットパターンに入射した光は、各調光用ドット１２７で拡散反射され反射シート１２６側へ向かうことになる。
【０１６７】
一方、拡散導光板１２５の調光用ドット１２７が形成されていない領域に入射された各色光は、拡散導光板１２５内に入射する。拡散導光板１２５に入射された光のうち、一部は拡散導光板１２５内を全反射しながら拡散していき、また一部の光は、屈折されて光出射面１２５ｂから出射されることになる。全反射しながら拡散導光板１２５内を拡散する光も、最終的には臨界角より小さい角度で光出射面１２５ｂ側に入射して拡散導光板１２５から出射されることになる。
【０１６８】
調光用ドット１２７で拡散反射された光は、反射シート１２６で反射され、再び拡散導光板１２５の光入射面１２５ａに入射することになる。拡散導光板１２５の光入射面１２５ａに入射された光は、拡散導光板１２５内に入射するか、調光用ドット１２７に入射し、上述した説明と同じような光路を辿ることになる。
【０１６９】
（調光用ドットパターンを光出射面１２５ｂに印刷した場合）
続いて、拡散導光板１２５の光出射面１２５ｂに調光用ドットパターン１２７を形成した場合の光路について説明をする。拡散導光板１２５の光出射面１２５ｂに調光用ドットパターンを形成した場合には、まず、各発光ダイオード１２１から出射された光は、拡散導光板１２５内に入射される。拡散導光板１２５内に入射された光のうち、一部は拡散導光板１２５内を全反射しながら拡散していき、また一部の光は、屈折されて光出射面１２５ｂから出射されることになる。
【０１７０】
全反射しながら、拡散導光板１２５内を拡散する光は、臨界角より小さい角度で光出射面１２５ｂに入射した場合には、拡散導光板１２５から出射されることになる。しかし、拡散導光板１２５の光出射面１２５ｂには、調光用ドットパターンが形成されているため、光出射面１２５ｂに入射した光が調光用ドット１２７に入射した場合は、拡散反射されることになる。調光用ドット１２７で反射された光は、拡散導光板１２５内で全反射されるか、光入射面１２５ａ側から出射して反射シート１２６で反射され、再び拡散導光板１２５内に入射されるという光路を辿る。
【０１７１】
このように、拡散導光板１２５の光入射面１２５ａ又は光出射面１２５ｂに調光用ドットパターンが形成されると、いずれの場合においても、光出射面１２５ｂから出射されるまでの過程において、調光用ドット１２７で所定の割合の光が拡散反射されることになる。調光用ドット１２７で拡散反射されることで、発光ダイオード１２１から出射した光がダイレクトに拡散導光板１２５から出射される割合が減少するため、発光ダイオード１２１の発光指向性により、一部の領域のみを高輝度とするような輝度の不均一化を抑制することができる。つまり、調光用ドット１２７の反射によって、発光ダイオード１２１で発光された各色光が拡散され、色光の混色がよくなるとともに、輝度の均一化が図られることになる。
【０１７２】
また、拡散導光板１２５と、反射シート１２６との間で反射される光の割合も増えるため、調光用ドットパターンを形成しない場合の拡散導光板１２５と、反射シート１２６との距離と比較して、調光用ドットパターンを形成した拡散導光板１２５と、反射シート１２６との距離を縮めることができる。
【０１７３】
一般に、発光ダイオードから出射された赤色光、緑色光、青色光を混色する際に、混色するまでの距離が長ければ、つまり、バックライト装置の厚みがあるほど、混色がよくなる。拡散導光板１２５に調光用ドットパターンを形成したことで、発光ダイオード１２１から出射された光の拡散導光板１２５と、反射シート１２６との間の反射回数が増えたため、発光ダイオード１２１から発光された光が、拡散導光板１２５から出射されるまでのトータルでの距離が伸びる。また、調光用ドットパターンによる拡散反射と、反射シート１２６の複数回の反射により拡散導光板１２５のほぼ全面を渡って広い範囲で入射することになるため、バックライト装置１４０の厚みを増した場合と同等の効果が得られる。具体的には、拡散導光板１２５と、発光ダイオード１２１との距離ｄを略７ｍｍ以下にすることができる。
【０１７４】
したがって、調光用ドットパターンが印刷された拡散導光板１２５を介して、拡散板１４１、光学シート群１４５を経てバックライト装置１４０から出射された液晶表示パネル１１０を照明する照明光は、色ムラ、輝度ムラが低減した白色光となり、均一な色ユニフォーミティ、輝度ユニフォーミティを有していることになる。
【０１７５】
［実施例］
続いて、第２の実施の形態として示す液晶表示装置１００の拡散導光板１２５に調光用ドットパターンを印刷したことによる効果を検証するため、調光用ドットパターンを印刷した拡散導光板１２５を用いたバックライト装置１４０と、調光用ドットパターンを印刷していない拡散導光板１２５とを用いたバックライト装置１４０とを用意し、発光ダイオード１２１を発光させた場合の目視による結果を比較することにする。
【０１７６】
（実施例１）
まず、実施例１では、図２６に示すように４６インチの液晶表示パネル１１０を照明するバックライト装置１４０を使用する。
【０１７７】
このバックライト装置１４０では、緑色発光ダイオード１２１Ｇ、赤色発光ダイオード１２１Ｒ、緑色発光ダイオード１２１Ｇ、青色発光ダイオード１２１Ｂを繰り返し単位とした複数の発光ダイオード１２１を有するバックライトユニット１２１ｎを、図１７に示すように、長手方向がバックライト装置１４０の水平方向となるように配置させている。隣り合う発光ダイオードユニット１２１ｎのピッチは、８０ｍｍとなっている。
【０１７８】
また、このバックライト装置１４０が備える拡散導光板１２５は、全光線透過率が９０％、曇価が７０％のポリオレフィンによって形成されている。
【０１７９】
このような拡散導光板１２５を２枚用意し、一方には、何も印刷をせず、他方には、調光用ドットパターンを印刷する。
【０１８０】
実施例１においては、拡散導光板１２５上に、異なる２タイプの調光用ドットパターンを重ねて形成するようにしている。この２タイプの調光用ドットパターンのうち拡散導光板１２５に直接印刷する、つまり下塗りされる調光用ドットパターンを調光用ドットパターンＰ１とする。また、調光用ドットパターンＰ１上に重ねて印刷される、つまり上塗りされる調光用ドットパターンを調光用ドットパターンＰ２とする。
【０１８１】
調光用ドットパターンＰ１は、ポリオレフィン用白インクに、紫外線防止剤を５ｗｔ％、消泡剤を０．２ｗｔ％添加して、図１０で説明したような工程によって、拡散導光板１２５をバックライト装置１４０内に組み付けた際に、各調光用ドットと、各発光ダイオード１２１とが１対１で対向するように印刷した。調光用ドットパターンＰ１の調光用ドットの形状は、短軸を７ｍｍ、長軸を１１ｍｍとする略楕円形状（形状面積：約６８ｍｍ２）とされ、楕円の中心と、発光ダイオード１２１の発光中心とがほぼ一致するように印刷した。なお、印刷回数は、１回とした。
【０１８２】
調光用ドットパターンＰ２は、ポリオレフィン用白インクに黒インクを０．５ｗｔ％混合して生成したグレーインクに、紫外線防止剤を５ｗｔ％、消泡剤を０．２ｗｔ％添加して、拡散導光板１２５に印刷された調光用ドットパターンＰ１上に、図１０で説明したような工程によって重ねて印刷した。調光用ドットパターンＰ２の各調光用ドットの形状は、短軸を７ｍｍ、長軸を９．５ｍｍとする略楕円形状（形状面積：約５６ｍｍ２）とされ、この楕円の中心と、調光用ドットパターンＰ１の各調光用ドットの中心とがほぼ一致するように印刷した。なお、印刷回数は、１回とした。
【０１８３】
このような、調光用ドットパターンＰ１，Ｐ２を重ねて印刷した拡散導光板１２５と、調光用ドットパターンを印刷していない拡散導光板１２５とを、順次、バックライト装置１４０内に入れ替えて配置し、それぞれの場合において、発光ダイオート１２１を発光させ、光学シート群１４５から出射される光を目視によって観察する。結果を以下に示す。
【０１８４】
＜調光用ドットパターンを印刷しない場合＞
この場合、バックライト装置１４０から出射された照明光は、各発光ダイオード１２１から発光された各色の混色性が悪く、特に、ぼやけて広がった赤色光が強調された光となってしまった。
【０１８５】
＜調光用ドットパターンを印刷した場合＞
この場合、バックライト装置１４０から出射された照明光は、各発光ダイオード１２１から発光された各色の混色性が良く、さらに、発光ダイオード１２１直上と、隣接する発光ダイオード間上とにおける明暗差も抑制された、輝度が均一化された光となった。
【０１８６】
このように、拡散導光板１２５に調光用ドットパターンを印刷することで、混色性を向上させると共に、面状発光した際の輝度の均一化を達成することができる。
【０１８７】
（実施例２）
次に、実施例２では、図２７に示すように４０インチの液晶表示パネル１１０を照明するバックライト装置１４０を使用する。
【０１８８】
このバックライト装置１４０では、緑色発光ダイオード１２１Ｇ、赤色発光ダイオード１２１Ｒ、緑色発光ダイオード１２１Ｇ、青色発光ダイオード１２１Ｂを繰り返し単位とした複数の発光ダイオード１２１を有するバックライトユニット１２１ｎを、図１７に示すように、長手方向がバックライト装置１４０の水平方向となるように配置させている。隣り合う発光ダイオードユニット１２１ｎのピッチは、８５ｍｍとなっている。
【０１８９】
また、このバックライト装置１４０が備える拡散導光板１２５は、全光線透過率が９３％、曇価が９０％のＰＭＭＡによって形成されている。
【０１９０】
このような拡散導光板１２５を２枚用意し、一方には、何も印刷をせず、他方には、調光用ドットパターンを印刷する。調光用ドットパターンは、白コンクインクに、紫外線防止剤を６ｗｔ％、消泡剤を０．１ｗｔ％添加して、図１０で説明したような工程によって、拡散導光板１２５をバックライト装置１４０内に組み付けた際に、各調光用ドットと、各発光ダイオード１２１とが１対１で対向するように印刷した。調光用ドットパターンの調光用ドットの形状は、径を７ｍｍとする円形状（形状面積：約３８ｍｍ２）とされ、円の中心と、発光ダイオード１２１の発光中心とがほぼ一致するように印刷した。なお、印刷回数は、３回とした。
【０１９１】
このような、調光用ドットパターンを印刷した拡散導光板１２５と、調光用ドットパターンを印刷していない拡散導光板１２５とを、順次、バックライト装置１４０内に入れ替えて配置し、それぞれの場合において、発光ダイオート１２１を発光させ、光学シート群１４５から出射される光を目視によって観察する。結果を以下に示す。
【０１９２】
＜調光用ドットパターンを印刷しない場合＞
この場合、バックライト装置１４０から出射された照明光は、各発光ダイオード１２１から発光された各色の混色性が悪く、特に、ぼやけて広がった赤色光が強調された光となってしまった。
【０１９３】
＜調光用ドットパターンを印刷した場合＞
この場合、バックライト装置１４０から出射された照明光は、各発光ダイオード１２１から発光された各色の混色性が良く、さらに、発光ダイオード１２１直上と、隣接する発光ダイオード間上とにおける明暗差も抑制された、輝度が均一化された光となった。
【０１９４】
このように、拡散導光板１２５に調光用ドットパターンを印刷することで、混色性を向上させると共に、面状発光した際の輝度の均一化を達成することができる。
【０１９５】
（実施例３）
さらに、実施例３では、図２８に示すように４０インチの液晶表示パネル１１０を照明するバックライト装置１４０を使用する。
【０１９６】
このバックライト装置１４０では、緑色発光ダイオード１２１Ｇ、赤色発光ダイオード１２１Ｒ、緑色発光ダイオード１２１Ｇ、青色発光ダイオード１２１Ｂを繰り返し単位とした複数の発光ダイオード１２１を有するバックライトユニット１２１ｎを、図１７に示すように、長手方向がバックライト装置１４０の水平方向となるように配置させている。隣り合う発光ダイオードユニット１２１ｎのピッチは、８５ｍｍとなっている。
【０１９７】
また、このバックライト装置１４０が備える拡散導光板１２５は、全光線透過率が５５％、曇価が９２．５％のポリオレフィンによって形成されている。
【０１９８】
このような拡散導光板１２５を２枚用意し、一方には、何も印刷をせず、他方には、調光用ドットパターンを印刷する。調光用ドットパターンは、ポリオレフィン用白インクに、紫外線防止剤を７ｗｔ％、消泡剤を０．２５ｗｔ％添加して、図１０で説明したような工程によって、拡散導光板１２５をバックライト装置１４０内に組み付けた際に、各調光用ドットと、各発光ダイオード１２１とが１対１で対向するように印刷した。調光用ドットパターンの調光用ドットの形状は、短軸を７ｍｍ、長軸を１１ｍｍとする略楕円形状（形状面積：約８６ｍｍ２）とされ、楕円の中心と、発光ダイオード１２１の発光中心とがほぼ一致するように印刷した。なお、印刷回数は、２回とした。
【０１９９】
このような、調光用ドットパターンを印刷した拡散導光板１２５と、調光用ドットパターンを印刷していない拡散導光板１２５とを、順次、バックライト装置１４０内に入れ替えて配置し、それぞれの場合において、発光ダイオート１２１を発光させ、光学シート群１４５から出射される光を目視によって観察する。結果を以下に示す。
【０２００】
＜調光用ドットパターンを印刷しない場合＞
この場合、バックライト装置１４０から出射された照明光は、各発光ダイオード１２１から発光された各色の混色性が悪く、特に、ぼやけて広がった赤色光が強調された光となってしまった。
【０２０１】
＜調光用ドットパターンを印刷した場合＞
この場合、バックライト装置１４０から出射された照明光は、各発光ダイオード１２１から発光された各色の混色性が良く、さらに、発光ダイオード１２１直上と、隣接する発光ダイオード間上とにおける明暗差も抑制された、輝度が均一化された光となった。
【０２０２】
このように、拡散導光板１２５に調光用ドットパターンを印刷することで、混色性を向上させると共に、面状発光した際の輝度の均一化を達成することができる。
【０２０３】
（実施例４）
さらに、実施例４では、図２９に示すように３２インチの液晶表示パネル１１０を照明するバックライト装置１４０を使用する。
【０２０４】
このバックライト装置１４０では、緑色発光ダイオード１２１Ｇ、赤色発光ダイオード１２１Ｒ、緑色発光ダイオード１２１Ｇ、青色発光ダイオード１２１Ｂを繰り返し単位とした複数の発光ダイオード１２１を有するバックライトユニット１２１ｎを、図１７に示すように、長手方向がバックライト装置１４０の水平方向となるように配置させている。隣り合う発光ダイオードユニット１２１ｎのピッチは、７０ｍｍとなっている。
【０２０５】
また、このバックライト装置１４０が備える拡散導光板１２５は、全光線透過率が５０％、曇価が９３％のポリカーボネイトによって形成されている。
【０２０６】
このような拡散導光板１２５を２枚用意し、一方には、何も印刷をせず、他方には、調光用ドットパターンを印刷する。調光用ドットパターンは、白コンクインクに、紫外線防止剤を４ｗｔ％、消泡剤を０．１ｗｔ％添加して、図１０で説明したような工程によって、拡散導光板１２５をバックライト装置１４０内に組み付けた際に、各調光用ドットと、各発光ダイオード１２１とが１対１で対向するように印刷した。調光用ドットパターンの調光用ドットの形状は、径を６ｍｍとする円形状（形状面積：約２８ｍｍ２）とされ、円の中心と、発光ダイオード１２１の発光中心とがほぼ一致するように印刷した。なお、印刷回数は、１回とした。
【０２０７】
このような、調光用ドットパターンを印刷した拡散導光板１２５と、調光用ドットパターンを印刷していない拡散導光板１２５とを、順次、バックライト装置１４０内に入れ替えて配置し、それぞれの場合において、発光ダイオート１２１を発光させ、光学シート群１４５から出射される光を目視によって観察する。結果を以下に示す。
【０２０８】
＜調光用ドットパターンを印刷しない場合＞
この場合、バックライト装置１４０から出射された照明光は、各発光ダイオード１２１から発光された各色の混色性が悪く、特に、ぼやけて広がった赤色光が強調された光となってしまった。
【０２０９】
＜調光用ドットパターンを印刷した場合＞
この場合、バックライト装置１４０から出射された照明光は、各発光ダイオード１２１から発光された各色の混色性が良く、さらに、発光ダイオード１２１直上と、隣接する発光ダイオード間上とにおける明暗差も抑制された、輝度が均一化された光となった。
【０２１０】
このように、拡散導光板１２５に調光用ドットパターンを印刷することで、混色性を向上させると共に、面状発光した際の輝度の均一化を達成することができる。
【０２１１】
実施例２乃至４においては、全て白インクを用いて、拡散導光板１２５に調光用ドットパターンを印刷したが、例えば、３ｗｔ％の紫外線防止剤、０．１５ｗｔ％の消泡剤を添加した灰色インク（銀色インク）を用いた場合も同等の効果を得ることができる。
【０２１２】
以上のことから、第２の実施の形態として示した液晶表示装置１００では、光源を発光ダイオード１２１とするバックライト装置１４０が備える拡散導光板１２５に対して調光用ドットパターンを印刷することで、各色光の混色性を高め、面状発光される照明光の輝度を均一化すると共に、光源のパワーを上げることなく十分な輝度を確保することができる。
【０２１３】
このように、拡散導光板１２５に印刷した調光用ドットパターンは、拡散板１４１に対しても同じように印刷することができ、拡散導光板１２５に印刷した場合と同等の効果を得ることができる。さらに、拡散導光板１２５と、拡散板１４１とに、この調光用ドットパターンを印刷しても同等の効果を得ることができる。
【０２１４】
第１の実施の形態として示した液晶表示装置では、拡散導光板１４、拡散板１５に直接、調光用ドットパターンを印刷し、第２の実施の形態として示した液晶表示装置１００では、拡散導光板１２５、拡散板１４１に直接、調光用ドットパターンを印刷していた。
【０２１５】
これを、透明フィルムに所望の調光用ドットパターンを印刷して、拡散導光板１４、拡散板１５の表面又は裏面に貼り付けたり、拡散導光板１２５、拡散板１４１の表面又は裏面に貼り付けたりしてもよい。このように、透明フィルムに調光用ドットパターンを印刷すると、例えば、ロール状に巻かれた透明フィルムに順次、調光用ドットパターンを印刷し、必要なサイズで切断して拡散導光板や、導光板に対して貼り付ければよいため、量産化を促進すると共に、生産コストを大幅に削減することができる。
【図面の簡単な説明】
【０２１６】
【図１】本発明の第１の実施の形態として示す液晶表示装置の構成について説明するための図である。
【図２】図１に示す液晶表示装置の分解図である。
【図３】図３（ａ）は、図１に示す液晶表示装置のバックメタルフレームの平面図であり、図３（ｂ）は、バックフレームメタルの下端部側面図であり、図３（ｃ）は、バックルフレームメタルの右端部側面図である。
【図４】図２に示す蛍光管固定板を説明するため図である。
【図５】図２に示す蛍光管固定板を説明するための図である。
【図６】蛍光管固定板のその他の実施例を説明するための図である。
【図７】蛍光管固定板のその他の実施例を説明するための図である。
【図８】蛍光管固定板のその他の実施例を説明するための図である。
【図９】印刷装置の構成を示すブロック図である。
【図１０】図９の印刷装置によるドットパターン印刷処理を説明するフローチャートである。
【図１１】製版生成装置の構成を示すブロック図である。
【図１２】図１１の製版生成装置による製版生成処理を説明するフローチャートである。
【図１３】蛍光管の間隔を２４分割した位置にドットを印刷する場合の調光ドットパターンを示す図である。
【図１４】図１３のドットの径の変化を説明するための図である。
【図１５】蛍光管の間隔を４８分割した位置にドットを印刷する場合の調光ドットパターンを示す図である。
【図１６】本発明の第２の実施の形態として示す液晶表示装置の構成について説明するための図である。
【図１７】同液晶表示装置が備えるバックライト装置の概略構成について説明するための図である。
【図１８】同液晶表示装置において、図１６に示すＸＸ線で切断した際の断面図である。
【図１９】同液晶表示装置を駆動する駆動回路について説明するためのブロック図である。
【図２０】拡散導光板に調光用ドットパターンを印刷していない場合の色ムラについて説明するための図であり、図２０（ａ）は、色ムラの様子を示した図であり、図２０（ｂ）は、図２０（ａ）の結果を導く光源及び拡散導光板を示した図である。
【図２１】拡散導光板に調光用ドットパターンを印刷した場合の色ムラの抑制効果について説明するための図であり、図２１（ａ）は、色ムラの様子を示した図であり、図２１（ｂ）は、図２１（ａ）の結果を導く光源及び拡散導光板を示した図である。
【図２２】調光用ドットパターンの印刷回数を１回とした場合の色ムラについて説明するための図であり、図２２（ａ）は、光源及び拡散導光板を示した図であり、図２２（ｂ）は、図２２（ａ）に対応した色ムラの様子を示した図である。
【図２３】調光用ドットパターンの印刷回数を２又は３回とした場合の色ムラの抑制効果について説明するための図であり、図２３（ａ）は、光源及び拡散導光板を示した図であり、図２３（ｂ）は、図２３（ａ）に対応した色ムラの様子を示した図である。
【図２４】同液晶表示装置のバックライト装置が備える拡散導光板に印刷された調光用ドットパターンの一例を示した図である。
【図２５】同調光用ドットパターンを構成する調光用ドットと、発光ダイオードとの位置関係を説明するための図である。
【図２６】実施例１におけるバックライト装置の各条件を示した図である。
【図２７】実施例２におけるバックライト装置の各条件を示した図である。
【図２８】実施例３におけるバックライト装置の各条件を示した図である。
【図２９】実施例４におけるバックライト装置の各条件を示した図である。
【符号の説明】
【０２１７】
１１  バックメタルフレーム、１２  反射シート、１３，１３ａ乃至１３ｆ  蛍光
管、１４  拡散導光板、１５  拡散板、１６  BEF（Brightness Enhancement Firm）シート、１７  D-BEFシート、１８  ＬＣＤ（Liquid Crystal Display）パネル、１００  液晶表示装置、１１０  液晶表示パネル、１２１Ｒ  赤色発光ダイオード、１２１Ｇ  緑色発光ダイオード、１２１Ｂ  青色発光ダイオード、１２１ｎ（ｎは自然数）  発光ダイオードユニット、１２５  拡散導光板、１２６  反射シート、１２７  調光用ドット、１４０  バックライト装置
【図１】
2005117023.tif 000003
【図２】
2005117023.tif 000004
【図３】
2005117023.tif 000005
【図４】
2005117023.tif 000006
【図５】
2005117023.tif 000007
【図６】
2005117023.tif 000008
【図７】
2005117023.tif 000009
【図８】
2005117023.tif 000010
【図９】
2005117023.tif 000011
【図１０】
2005117023.tif 000012
【図１１】
2005117023.tif 000013
【図１２】
2005117023.tif 000014
【図１３】
2005117023.tif 000015
【図１４】
2005117023.tif 000016
【図１５】
2005117023.tif 000017
【図１６】
2005117023.tif 000018
【図１７】
2005117023.tif 000019
【図１８】
2005117023.tif 000020
【図１９】
2005117023.tif 000021
【図２０】
2005117023.tif 000022
【図２１】
2005117023.tif 000023
【図２２】
2005117023.tif 000024
【図２３】
2005117023.tif 000025
【図２４】
2005117023.tif 000026
【図２５】
2005117023.tif 000027
【図２６】
2005117023.tif 000028
【図２７】
2005117023.tif 000029
【図２８】
2005117023.tif 000030
【図２９】
2005117023.tif 000031